(57)【特許請求の範囲】
【請求項１】
ユーザの運動中に、対象物に物理的に接続されているセンサモジュールを用いて運動をモニタする方法であって、該運動をモニタする方法は、
前記センサモジュールが第１の時点で前記対象物の動きを検出するステップと、
前記対象物の動きが所定の起動の動きに対応することを前記センサモジュールが判断するステップと、
前記対象物の動きが所定の起動の動きに対応するという判断に応じて前記センサモジュールが起動状態に入るステップと、
前記センサモジュールが起動状態に入ると第２の時点で前記対象物の動きを検出するステップと、
前記対象物の空間における最初の方向を測定するステップと、
前記対象物の空間における方向の変化を測定するステップと、
前記空間における方向の変化に基づいて運動量を測定するステップと、
前記運動量を伝える出力をユーザに提供するステップとを含み、
前記運動量が、一連の運動中に人が共通に行う特定の種類の動きとしての前記対象物の動きを特徴付ける方法。
【請求項２】
動きのデータを記録するステップと、
データ構造を参照して動きのデータと運動量との間の相関を測定するステップと、
前記運動量を伝える出力をユーザに提供するステップと
をさらに含む請求項１に記載の方法。
【請求項３】
前記対象物がユーザの体である請求項１に記載の方法。
【請求項４】
前記対象物が運動中にユーザが用いる１つの運動器具である請求項１に記載の方法。
【請求項５】
前記対象物の動きを検出するステップは、加速度計のデータに基づいて前記対象物の動きを検出することを含む請求項１に記載の方法。
【請求項６】
前記対象物の動きを検出するステップは、磁力計のデータに基づいて前記対象物の動きを検出することを含む請求項１に記載の方法。
【請求項７】
所定の期間にデータ値が閾値に達すると、前記対象物の動きが所定の起動の動きに対応すると判断する請求項１に記載の方法。
【請求項８】
前記対象物の空間における最初の方向を測定するステップが、重力ベクトルに対する前記対象物の方向を測定することを含む請求項１に記載の方法。
【請求項９】
前記対象物の空間における最初の方向を測定するステップが、地球の磁場ベクトルに対する前記対象物の方向を測定することを含む請求項１に記載の方法。
【請求項１０】
前記運動量は、前記対象物が移動した距離、前記対象物のスピード、または前記対象物の加速度からなる群から選ばれる情報を伝達する請求項１に記載の方法。
【請求項１１】
前記動きのデータを記録するステップが、加速度データを記録することを含む請求項２に記載の方法。
【請求項１２】
前記動きのデータを記録するステップが、磁場データを記録することを含む請求項２に記載の方法。
【請求項１３】
前記データ構造が参照用テーブルである請求項２に記載の方法。
【請求項１４】
前記運動量は、前記対象物が移動した距離、前記対象物のスピード、または前記対象物の加速度からなる群から選ばれる請求項２に記載の方法。
【請求項１５】
前記運動量が、一連の運動中に人が共通に行う特定の種類の動きとしての前記対象物の動きを特徴付ける請求項２に記載の方法。
【請求項１６】
前記所定の起動の動きが一連の個別の動きを含む請求項１に記載の方法。
【請求項１７】
前記対象物の動きが所定の起動の動きに対応することを判断するステップが、前記所定の起動の動きに関連する加速度データと前記対象物の動きに対応付けて検出された加速度データとを比較することを含む請求項１に記載の方法。
【請求項１８】
前記対象物の動きが所定の起動の動きに対応することを判断するステップが、前記所定の起動の動きに関連する時間データと前記対象物の動きに対応付けて検出された時間データとを比較することを含む請求項１に記載の方法。
【請求項１９】
前記起動状態は、センサモジュールが起動状態の前よりも起動状態の間の方がより電力を消費することを特徴とする請求項１に記載の方法。
【請求項２０】
前記起動状態は、センサモジュールが起動状態の前よりも起動状態の間の方がより高速に加速度計からデータをサンプリングすることを特徴とする請求項１に記載の方法。
【請求項２１】
ユーザの運動中に、対象物に物理的に接続されているセンサモジュールを用いて運動をモニタする方法であって、該運動をモニタする方法は、
前記対象物の動きを検出するステップと、
動きのデータを記録するステップと、
動きのデータを複数の参照用のモーションに関するデータと比較することで、複数の参照用のモーションから一致する運動モーションを認識するステップと、
一致した運動モーションが何であるかをユーザに伝える出力を提供するステップと、
前記対象物の空間における最初の方向を測定するステップと、
前記対象物の空間における方向の変化を測定するステップと、
前記空間における方向の変化に基づいて運動量を測定するステップと、
前記運動量を伝える出力をユーザに提供するステップとを含み、
前記運動量が、一連の運動中に人が共通に行う特定の種類の動きとしての前記対象物の動きを特徴付ける
方法。
【請求項２２】
前記対象物がユーザの体である請求項２１に記載の方法。
【請求項２３】
前記対象物が運動中にユーザが用いる１つの運動器具である請求項２１に記載の方法。
【請求項２４】
前記対象物の動きを検出するステップは、加速度計のデータに基づいて前記対象物の動きを検出することを含む請求項２１に記載の方法。
【請求項２５】
前記対象物の動きを検出するステップは、磁力計のデータに基づいて前記対象物の動きを検出することを含む請求項２１に記載の方法。
【請求項２６】
前記一致する運動モーションは、一連の個別の動きを含む請求項２１に記載の方法。
【請求項２７】
前記複数の参照用のモーションに関するデータは、加速度データ、磁場データ、または時間データからなる群から選ばれる請求項２１に記載の方法。
【請求項２８】
前記運動はチームスポーツであり、前記一致する運動モーションがチームスポーツを行っている間に人が共通に行うモーションである請求項２１に記載の方法。
【請求項２９】
複数のユーザが用いる、運動をモニタするシステムであって、該運動をモニタするシステムは、
加速度センサおよび磁場センサを含み、第１の対象物に取り付けるように構成された第１のセンサモジュールと、
加速度センサおよび磁場センサを含み、第２の対象物に取り付けるように構成された第２のセンサモジュールと、
第１のユーザに取り付けるように構成され、さらに前記第１のセンサモジュールと通信するように構成された第１の携帯電子装置と、
第２のユーザに取り付けるように構成され、さらに前記第２のセンサモジュールと通信するように構成された第２の携帯電子装置と、
前記第１の携帯電子装置および前記第２の携帯電子装置と通信するように構成されたベースステーションと、
ベースステーションと通信するように構成され、さらに前記第１の対象物および前記第２の対象物の動きについての情報を表示するように構成されたグループモニタ装置とを含み、
第１及び第２のセンサモジュールが、前記第１及び第２の対象物の空間における最初の方向を各々測定し、前記第１及び第２の対象物の空間における方向の変化を各々測定し、
前記ベースステーションが、前記空間における方向の変化に基づいて運動量を測定し、
前記グループモニタ装置が、前記運動量を伝える出力をユーザに提供し、
前記運動量は、一連の運動中に人が共通に行う特定の種類の動きとしての前記対象物の動きを特徴付ける
システム。
【請求項３０】
ユーザの運動中に、対象物に物理的に接続されているセンサモジュールを用いて運動をモニタする方法であって、該運動をモニタする方法は、
センサモジュールの加速度センサから前記対象物の動きについてのデータを取得するステップと、
センサモジュールの磁場センサから前記対象物の動きについてのデータを取得するステップと、
前記加速度センサから取得した前記対象物の動きについてのデータおよび前記磁場センサから取得した前記対象物の動きについてのデータに基づいて運動量を測定することと、
前記運動量を例示的な運動量と比較するステップと、
前記運動量と前記例示的な運動量との比較について、ユーザにフィードバックを提供するステップと、
前記対象物の空間における最初の方向を測定するステップと、
前記対象物の空間における方向の変化を測定するステップと、
前記空間における方向の変化に基づいて運動量を測定するステップと、
前記運動量を伝える出力をユーザに提供するステップとを含み、
前記運動量が、一連の運動中に人が共通に行う特定の種類の動きとしての前記対象物の動きを特徴付ける
方法。
【発明の詳細な説明】
【技術分野】
【０００１】
[関連技術への相互参照] 
本出願は、共同所有され、同日に出願された米国特許出願＿＿（代理人整理番号2483.2300000）（発明の名称「スポーツボール運動モニタ方法およびシステム」）、および、同日に出願された米国特許出願＿＿（代理人整理番号2483.2310000）（発明の名称「着用可能な運動モニタ方法およびシステム」）に関連し、各出願は完全に参照することにより組み込まれる。
【０００２】
本発明は一般に、運動をモニタする方法およびシステムに関する。特に、本発明は運動をしている個人の体の動き、または運動中に個人が用いる１つの運動器具の動きをモニタする方法およびシステムに関する。
【背景技術】
【０００３】
運動は健康な生活様式を維持するのに重要であり、多くの人々にとっての娯楽の供給源である。例えば、サッカーやバスケットボールなどの団体でする運動を好む人もいれば、例えば、ランニングやスキーなどの個人でする運動を好む人もいる。運動が団体の運動であるかそれとも個人の運動であるかにかかわらず、個人がサッカーの試合や競走などの競技、またはサッカーの練習やインターバル走を行う等のより形式にとらわれないトレーニングに参加するのは一般的である。
【０００４】
技術のおかげで、センサを用いて運動中の個人のパフォーマンスについての情報を記録し、場合によっては個人のパフォーマンスについてのフィードバックを提供できる健康モニタ装置が発展してきた。個人の体に取り付けたセンサを採用した携帯健康モニタ装置もあれば、１つの運動器具に取り付けたセンサに依存している携帯健康モニタ装置もある。このようなセンサは、個人の運動に関連して、様々な身体的なパラメータおよび／または生理学的なパラメータを測定することが可能であってもよい。
【０００５】
既存の多くの健康モニタ装置は携帯用ではなく、したがって現実の競技またはトレーニング中にモニタするのには適していない。携帯用のものであっても、競技またはトレーニング中の厳しい条件下では長期間用いるにはしばしば重すぎ、また十分な電池容量および／または処理能力が不足している。しかも、既存の健康モニタ装置には運動中の個人の心拍数や全歩数などの比較的単純なパフォーマンスを判断できるものもあるが、より高度な判断はしばしば不可能で、また精度に問題がある。最後に、既存の装置が個人に提供するパフォーマンスのフィードバックは、簡単な過去のパフォーマンスとの比較、今後のパフォーマンスを改善する方法の開発、パフォーマンスの可視化、または新しいトレーニング養生法もしくは運動器具の選択を可能にするような、素早く正確で洞察に満ちた情報を個人に提供できないことが多い。
【０００６】
必要とされるのは、改善された性能を有し、運動をする個人が自分の運動を評価するためのよりよいツールを提供する新しい運動モニタの方法およびシステムである。本発明の実施形態のうち少なくともいくつかは上記の必要性を満たし、さらに以下の説明で明らかになるであろう関連した利点を提供する。
【発明の概要】
【０００７】
本発明の実施形態は、ユーザの運動中に、対象物（object）に物理的に接続されているセンサモジュールを用いて運動をモニタする方法であって、該運動をモニタする方法は、前記センサモジュールが第１の時点で対象物の動きを検出するステップと、前記対象物の動きが所定の起動の動きに対応すると前記センサモジュールが判断するステップと、前記対象物の動きが所定の起動の動きに対応するという判断に応じて前記センサモジュールが起動状態に入ることと、前記センサモジュールが起動状態に入ると第２の時点で前記対象物の動きを検出するステップとを含む方法に関する。
【０００８】
本発明の実施形態はまた、ユーザの運動中に、対象物に物理的に接続されているセンサモジュールを用いて運動をモニタする方法であって、該運動をモニタする方法は、前記対象物の動きを検出するステップと、動きのデータを記録するステップと、動きのデータを複数の参照用のモーションに関するデータと比較することで、複数の参照用のモーションから一致する運動モーションを認識するステップと、一致した運動モーションが何であるかをユーザに伝える出力を提供するステップとを含む方法に関する。
【０００９】
本発明の実施形態はさらに、ユーザの運動中に、対象物に物理的に接続されているセンサモジュールを用いて運動をモニタする方法であって、該運動をモニタする方法は、前記対象物の動きを検出するステップと、前記対象物の空間における最初の方向を測定することと、前記対象物の空間における方向の変化を測定することと、前記空間における方向の変化に関するデータを運動中のユーザから遠隔地にあるコンピュータに無線で送信するステップと、前記空間における方向の変化に関して送信されたデータに基づいている運動量（activity metric）のデータを前記遠隔コンピュータから無線で受信するステップと、前記ユーザに前記運動量のデータを伝える出力を提供するステップとを含む方法に関する。
【００１０】
本発明の実施形態はまた、ユーザの運動中に、対象物に物理的に接続されているセンサモジュールを用いて運動をモニタする方法であって、該運動をモニタする方法が、前記対象物の動きを検出するステップと、動きのデータを記録するステップと、動きのデータを運動中のユーザから遠隔地にあるコンピュータに無線で送信するステップと、前記送信された運動量のデータと運動量との間の相関に基づいている運動量のデータを前記遠隔コンピュータから受信するステップと、前記運動量を伝える出力をユーザに提供するステップとを含む方法に関する。
【００１１】
本発明の実施形態はさらに、ユーザの運動中に、対象物に物理的に接続されているセンサモジュールを用いて運動をモニタする方法であって、該運動をモニタする方法は、前記対象物の動きを検出するステップと、前記対象物の空間における最初の方向を測定することと、前記対象物の空間における方向の変化を測定することと、前記空間における方向の変化に基づいて運動量を測定することと、運動中の前記対象物の位置を測定することと、前記運動量と前記位置とを相関させることとを含む方法に関する。
【００１２】
本発明の実施形態はまた、ユーザの運動中に、対象物に物理的に接続されているセンサモジュールを用いて運動をモニタする方法であって、該運動をモニタする方法は、前記対象物の動きを検出するステップと、動きのデータを記録するステップと、データ構造を参照して、動きのデータと前記運動量との間の相関を測定することと、運動中の前記対象物の位置を測定することと、前記運動量と前記位置を相関させることとを含む方法に関する。
【００１３】
本発明の実施形態はさらに、ユーザの運動中に、対象物に物理的に接続されているセンサモジュールを用いて運動をモニタする方法であって、該運動をモニタする方法は、センサモジュールの加速度センサから前記対象物の動きについてのデータを得ることと、センサモジュールの磁場センサから前記対象物の動きについてのデータを得ることと、前記加速度センサおよび前記磁場センサのうちのどちらか一方の欠如したデータを、前記加速度センサおよび前記磁場センサのうちの他方のデータに基づいて推定するステップと、前記推定した欠如したデータに基づいて運動量を計算するステップとを含む方法に関する。
【００１４】
本発明の実施形態はまた、ユーザの運動中に、対象物に物理的に接続されているセンサモジュールを用いて運動をモニタする方法であって、該運動をモニタする方法は、磁場センサが乱れた磁場の影響を著しく受けている第１の時点でセンサモジュールの磁場センサから前記対象物の動きについてのデータを取得するステップと、磁場センサが乱れた磁場の影響をあまりうけていない第２の時点でセンサモジュールの磁場センサから前記対象物の動きについてのデータを取得するステップと、前記第１の時点で対象物の動きについてのデータは許容できないと判断するステップと、前記第１の時点での対象物の動きについてのデータを、前記第２の時点での対象物の動きについてのデータに基づいて推定するステップとを含む方法に関する。
【００１５】
本発明の実施形態はさらに、複数のユーザが用いる、運動をモニタするシステムであって、該運動をモニタするシステムは、加速度センサおよび磁場センサを含み、第１の対象物に取り付けるように構成された第１のセンサモジュールと、加速度センサおよび磁場センサを含み、第２の対象物に取り付けるように構成された第２のセンサモジュールと、第１のユーザに取り付けるように構成され、さらに前記第１のセンサモジュールと通信するように構成された第１の携帯電子装置と、第２のユーザに取り付けるように構成され、さらに前記第２のセンサモジュールと通信するように構成された第２の携帯電子装置と、前記第１の携帯電子装置および前記第２の携帯電子装置と通信するように構成されたベースステーションと、ベースステーションと通信するように構成され、さらに前記第１の対象物および前記第２の対象物の動きについての情報を表示するように構成されたグループモニタ装置とを含むシステムに関する。
【００１６】
本発明の実施形態はまた、ユーザの運動中に、対象物に物理的に接続されているセンサモジュールを用いて運動をモニタする方法であって、該運動をモニタする方法は、センサモジュールの加速度センサから前記対象物の動きについてのデータを取得するステップと、センサモジュールの磁場センサから前記対象物の動きについてのデータを取得するステップと、前記加速度センサから取得した前記対象物の動きについてのデータおよび前記磁場センサから取得した前記対象物の動きについてのデータに基づいて運動量を測定することと、前記運動量を例示的な運動量と比較するステップと、ユーザの運動量が例示的な運動量とより近い値をとるためにユーザがとるべき行動を提供するフィードバックをユーザに提供するステップとを含む方法に関する。
【００１７】
本発明の追加の実施形態、特色、および利点、ならびに本発明の様々な実施形態の構造および作用について添付の図面を参照して以下で詳細に説明する。
【図面の簡単な説明】
【００１８】
添付の図面は、本明細書に組み入れられ、その一部を構成し、例として本発明を説明するがこれに限定するものではない。さらに明細書とともに本発明の原理を説明し、関連する当業者が本発明を実施し用いることを可能にする。
【００１９】
【図１】図１は、本発明の実施形態による運動モニタシステムを用いる個人の図である。
【００２０】
【図２】図２は、本発明の実施形態による運動モニタシステムを用いる個人の図である。
【００２１】
【図３】図３は、本発明の実施形態による様々な異なる運動器具の図である。
【００２２】
【図４】図４は、本発明の実施形態によるセンサモジュールの構成要素のブロック図である。
【００２３】
【図５】図５は、本発明の実施形態によるセンサモジュールの構成要素のブロック図である。
【００２４】
【図６Ａ】図６Ａは、本発明の実施形態による個人の体をモニタするように構成されたセンサモジュールの構成要素のブロック図である。
【００２５】
【図６Ｂ】図６Ｂは、本発明の実施形態によるスポーツボールをモニタするためのセンサモジュールを含むスポーツボールの図である。
【００２６】
【図７】図７は、本発明の実施形態による運動モニタシステムが通信する様々な構成要素の図である。
【００２７】
【図８Ａ】図８Ａは、本発明の実施形態による運動モニタシステムが通信する様々な構成要素の図である。
【００２８】
【図８Ｂ】図８Ｂは、本発明の実施形態による通信する２つのセンサモジュールの図である。
【００２９】
【図９】図９は、本発明の実施形態によるグループモニタシステムの図である。
【００３０】
【図１０】図１０は、本発明の実施形態による例示的な座標システムの図である。
【００３１】
【図１１】図１１は、本発明の実施形態による例示的な座標システムの図である。
【００３２】
【図１２】図１２は、本発明の実施形態による運動量を測定するための方法を示すフローチャートである。
【００３３】
【図１３】図１３は、本発明の実施形態による運動量を測定するための方法を示すフローチャートである。
【００３４】
【図１４】図１４は、本発明の実施形態によるセンサモジュールを起動するための方法を示すフローチャートである。
【００３５】
【図１５】図１５は、本発明の実施形態による一致する運動モーションを認識するための方法を示すフローチャートである。
【００３６】
【図１６】図１６は、本発明の実施形態による遠隔コンピュータと通信するための方法を示すフローチャートである。
【００３７】
【図１７】図１７は、本発明の実施形態による運動量と位置とを相関させるための方法を示すフローチャートである。
【発明を実施するための形態】
【００３８】
添付した図面に図示されているような本発明の実施形態を参照して、本発明について以下に詳しく説明する。「１つの実施形態」「ある実施形態」「ある実施形態の例」などへの言及は、説明する実施形態がある特定の特色、構造、または特徴を含んでもよいが、すべての実施形態が必ずしもその特定の特色、構造、または特徴を含まなくてもよいということを示している。さらに、そのような語句が同じ実施形態について言及しているとは必ずしも限らない。さらにまた、ある実施形態に関してある特定の特色、構造、または特徴が説明されるときに、明確に説明してもしなくても、他の実施形態に関するそのような特色、構造、または特徴に影響を及ぼすことは当業者の知識の範囲内にあるということを提示しておく。
【００３９】
本明細書で用いる「発明」または「本発明」という表現は制限のない表現であり、特定の発明の任意の１つの実施形態だけに言及することを意図するものではなく、本出願で説明するようなすべての可能な実施形態を含む。
【００４０】
本発明の様々な態様、または本発明のどの部品または機能も、ハードウェア、ソフトウェア、ファームウェア、コンピュータが読み込むもしくは用いることができそこに保存された命令を有する有形の記憶媒体、またはそれらを組み合わせて用いることで実行してもよいし、１つ以上のコンピュータシステムまたは他の処理システムにおいて実行してもよい。
【００４１】
本発明は一般に、運動をモニタする方法およびシステムに関する。特に、本発明は運動している個人の体の動きまたは運動中の個人が用いる１つの運動器具の動きをモニタする方法およびシステムに関する。運動している個人（またはコーチ、チームメイト、観客など他の関係者）が、一連の運動中の個人の体のモーションまたは個人の１つの運動器具のモーションについての情報を得ることを所望してもよい。
【００４２】
例えば、もし個人がサッカー（すなわちフットボール）の試合でプレイするなど、スポーツボールの使用を伴う活動に参加している場合は、例えば、個人が蹴ったサッカーボール（すなわちフットボール）の様々な飛び出し角度を求められること、個人が蹴ったサッカーボールの回転スピードを求められること、または個人が蹴ったサッカーボールが飛んでいく時の最高スピードを測定されることなどが望ましい場合があり得る。
【００４３】
さらなる例として、もし個人がバスケットボールの技術を練習するなど、個人の胸部の様々な動きを伴う活動に参加している場合は、例えば、ディフェンダーの周りをドリブルしようとするときに個人が左に切り込んだのかまたは右に切り込んだのかを認識できること、ジャンプショットを打つ、ダンクシュートを試みる、またはブロックショットを試みるときに個人が飛んだ高さおよび／または個人が飛んだときの力を求められること、あるいはバスケットボールに関する反応時間の訓練を行ったときに個人の反応時間を求められることが望ましい場合があり得る。
【００４４】
ある実施形態において、運動している複数の個人（例えば、チームスポーツにおけるチームメイトまたは敵チームの選手など）の体の動きおよび／または運動中の複数の個人が用いる複数の運動器具の動きをモニタしてもよい。また、ある実施形態において、リアルタイムにモニタおよび／またはフィードバックを提供してもよいし、一方で、他の実施形態において、運動後にフィードバックを提供してもよい。
【００４５】
以下で説明する本発明の実施形態は、１つ以上の携帯用センサを含む運動モニタシステムを用いることにより、一連の運動中に、個人の体のモーションまたは個人の１つの運動器具のモーションについてのこの、または他の情報を、個人（またはコーチ、チームメイト、もしくは観客）が得ることを有利に可能にし得る。運動中の当該対象物のモーションについて役立つ情報を得るために、様々な方法でセンサによって取得したデータを処理し得る。ある実施形態において、個人の体または個人の１つの運動器具の空間における方向の変化（すなわち、地球上の特定の位置または別の参考となる位置に対する、位置および／または回転の変化）をモニタするために、センサのデータを処理し得る。他の実施形態において、データ構造に保存されている動きのデータと運動量との間の所定の相関を参照して、センサのデータを処理し得る。
【００４６】
ある実施形態において、個人の体のモーションまたは個人の１つの運動器具のモーションについての情報を用いて、例えば、動きをどのように改善するかについての指導を個人に提供してもよいし、または個人の体もしくは運動器具の動きに関するレフェリー、アンパイア、もしくは他の運動競技の審判の判定の正確さをチェックしてもよい。
【００４７】
図１は、本発明の実施形態による運動モニタシステム１０を用いている個人１００の図である。個人１００は本発明による運動モニタシステム１０を用いて、一連の運動中に個人１００の体のモーションまたは個人１００の１つの運動器具のモーションについての情報を得ることを所望してもよい。
【００４８】
本発明の実施形態による運動モニタシステム１０は、団体の運動または個人の運動、ならびに競技のためのトレーニングおよび形式ばらないトレーニングに個人１００が用いるのに適していてもよい。例えば、本発明の実施形態による運動モニタシステム１０は、野球、バスケットボール、ボウリング、ボクシング、クリケット、自転車競技、フットボール（すなわち、アメリカンフットボール）、ゴルフ、ホッケー、ラクロス、ボート、ラグビー、ランニング、スケートボード、スキー、サッカー（すなわち、フットボール）、サーフィン、水泳、卓球、テニス、バレーボールなどの運動をしている個人１００による使用、またはそれら運動に関するトレーニング中の使用に適していてもよい。
【００４９】
本発明の実施形態による運動モニタシステム１０は、センサモジュール１０２を含み得る。センサモジュール１０２は１つ以上のセンサを含み得、個人１００が運動を行う間対象物１０４に物理的に連結し得る。以下でさらに詳しく説明するように、ある実施形態において、センサモジュール１０２を用いて、個人１００の体１０６または個人の１つの運動器具１０８の空間における方向の変化をモニタし得、一方で、他の実施形態において、センサモジュール１０２をデータ構造に保存されている所定の相関のデータと組み合わせて用いて、体１０６または器具１０８の動きのデータと運動量との間の相関を求め得る。
【００５０】
ある実施形態において、図１に図示されているように、モニタされる対象物１０４は、個人１００の体１０６であってもよく、センサモジュール１０２は、個人１００の体１０６に物理的に連結し得る。図示された実施形態において、センサモジュール１０２は個人１００の体１０６の胸部と知られる部分に物理的に連結するように構成されている。他の実施形態において、センサモジュール１０２は、例えば、個人の頭、首、肩、背中、腕、手首、手、指、ウエスト、ヒップ、脚、足首、足、つま先などの個人１００の体１０６の他の部分に物理的に連結するように構成してもよい。
【００５１】
ある実施形態において、センサモジュール１０２と個人１００の体１０６の間にある一枚以上の衣類、履物、または運動保護具が存在する状態で、センサモジュール１０２が個人１００の体１０６の一部に物理的に連結するように構成してもよい。間に入る物のあるなしにかかわらず、センサモジュール１０２は、例えば、ストラップ、接着剤、ポケット、クリップなどの様々な取り外し可能もしくは不可能な連結手段によって、または個人１００が身につけている衣類（例えば、シャツ、ズボン、靴下、手袋、帽子など）、履物、もしくは運動保護具などの物と一体化することによって、個人１００の体１０６の一部に物理的に連結してもよい。
【００５２】
ある実施形態において、センサモジュール１０２は、センサモジュール１０２を保持するように構成されている衣服のセンサモジュール１０２保持要素内に入れるように構成してもよい。ある例示的な実施形態において、衣服の着用者の動きがセンサモジュール１０２に与える影響を最小限にするためにセンサモジュール１０２をその中に入れ決まった位置に固定できるよう、センサモジュール１０２の大きさおよび形に対応する大きさおよび形に合わせて保持要素を作ってもよい。この影響を最小限にする役に立つように、例えば、バンドやスペーサー要素などの追加要素を用いてもよい。センサモジュール１０２保持要素は、例えば、布地と一体化する、布地に接着する、縫い付ける、溶接する、結びつける、クリップで留める、スナップで止める、もしくは装着する、またはこれらの技術および他の技術を任意に組み合わせることによって、衣服の１枚の布地に連結し得る。ある例示的な実施形態において、センサモジュール１０２保持要素は衣服の布地の生地に一体化するように作られる。
【００５３】
ある実施形態において、センサモジュール１０２保持要素は、センサモジュール１０２を着用する人の上背部に対応するところに配置してもよい。上背部など、着用する人の高い位置に対応するところにあるセンサモジュール１０２保持要素は、センサモジュール１０２がデータを送信するときまたは受信するときに干渉を最小限にし、センサモジュール１０２保持要素内のセンサモジュール１０２の範囲および信号強度を最大化するのに役立ち得る。加えて、上背部に対応するところにセンサモジュール１０２保持要素を配置することで、センサモジュール１０２による運動する人の動きへの妨害を最小限にする。ある例示的な実施形態において、センサモジュール１０２保持要素は、着用する人の上背部に対応するところ以外にも配置される。
【００５４】
別の実施形態において、図２に図示されているように、対象物１０４は、運動中に個人１００が用いる１つの運動器具１０８としてもよく、センサモジュール１０２は、１つの運動器具１０８に物理的に連結し得る。図示された実施形態において、センサモジュール１０２は、１つの運動器具１０８、すなわちサッカーボールに物理的に連結されている。他の実施形態において、センサモジュール１０２は、例えば、どの種類のスポーツボール、どの種類のスポーツ「スティック」（例えば、野球のバット、ホッケーのスティック、ゴルフクラブ、卓球のラケット、テニスラケットなど）、スポーツ手袋、自転車、オール、靴、ブーツ、スキー板、帽子、スケートボード、サーフボード、眼鏡またはゴーグルなどの他の運動器具１０８にも物理的に連結するように構成してもよい。
【００５５】
センサモジュール１０２は、運動器具１０８および運動の性質に応じた様々な連結手段によって運動器具１０８と物理的に連結してもよい。例えば、ボールの外側に取り付けること、中空のボールの内部表面に取り付けること、つり下げシステムによって中空のボールの内部につり下げること、または多層のボールの外側の層もしくは他の層に一体化させることによって、センサモジュール１０２をスポーツボールに物理的に連結してもよい。また、センサモジュール１０２は、例えば、ボールの外側に取り付けること、多層のボールの層の間に一体化すること、ボールの堅い部分に埋め込むことなどにより、中空でないスポーツボール（例えば、野球のボール、ボウリングのボール、ゴルフボールなど）にも物理的に連結してもよい。
【００５６】
さらなる例として、スポーツスティックの一部に巻き付けること、スポーツスティックの一部にクリップで留めること、スポーツスティックの外側表面に取り付けること、中空もしくは中空でないスポーツスティックの内部表面に取り付けること、つり下げシステムによって中空のスポーツスティックの内部につり下げること、または多層もしくは複合要素からなるスポーツスティックの壁面または他の層に一体化することによって、センサモジュール１０２は取り外し可能または不可能に、スポーツ「スティック」に連結してもよい。センサモジュール１０２は、例えば、ストラップ、接着剤などの様々な連結手段、または運動器具に一体化することによって、運動器具１０８に物理的に連結してもよい。ある実施形態において、センサモジュール１０２は、取り外し可能または不可能に、スポーツスティックなどの運動器具１０８に物理的に連結してもよく、スポーツスティックやその取っ手などの運動器具１０８の外側周囲に固定されているスリーブに組み込んでもよい。
【００５７】
他の実施形態において、センサモジュール１０２は、例えば、心拍計、歩数計、および加速度計に基づいたモニタ装置などの既存の運動モニタ機器、または他の携帯健康モニタ装置内に一体化してもよい。
【００５８】
図３は、本発明のモニタシステム１０の実施形態により用いることができるであろう様々な異なる運動器具１０８の図である。図示されるように、本発明のモニタシステム１０は、例えば、バスケットボール、フットボール、野球のバット、野球のボール、ボウリングのボール、ホッケーのスティック、ホッケーのパック、スケートボード、サーフボード、自転車、スキー板、スキーストック、テニスラケット、テニスボール、靴、ボクシングのグローブ、ゴルフクラブ、ゴルフボールなどの様々な異なる運動器具１０８とともに用いてもよい。
【００５９】
図４は、本発明の実施形態によるセンサモジュール１０２の構成要素のブロック図である。図示されている実施形態において、センサモジュール１０２は、センサモジュール１０２の機能性を実行するために互いに効果的に接続されているプロセッサ１１０、電源１１２、メモリ１１４、加速度センサ１１６、磁場センサ１１８、およびトランシーバ１２２を含む。他の実施形態において、センサモジュール１０２の構成要素のうち１つ以上を省くか、または１つ以上の追加の構成要素を加えてもよい。
【００６０】
プロセッサ１１０は、センサモジュール１０２のメモリ１１４に保存されているアプリケーションプログラムを実行するように構成してもよい。またプロセッサ１１０は、生データの削減およびフィルタリングなどのアナログまたはデジタル信号処理のアルゴリズムを実行してもよい。例えば、プロセッサ１１０は、センサモジュール１０２において、センサからの生データを受信しそのようなデータを処理するように構成してもよい。プロセッサ１１０は、電源１１２、メモリ１１４、加速度センサ１１６、磁場センサ１１８、およびトランシーバ１２２と効果的に接続されている。
【００６１】
電源１１２はセンサモジュール１０２に電力を供給するように構成してもよい。ある実施形態において、電源１１２は電池としてもよい。電源はセンサモジュール１０２に組み込むこと、またはセンサモジュール１０２から取り外すことができ、充電式または非充電式としてもよい。ある実施形態において、電源１１２は、パーソナルコンピュータに付属のユニバーサルシリアルバス（「ＵＳＢ」）、ファイヤワイヤ、イーサネット（登録商標）、サンダーボルト、ヘッドホンケーブルなどのケーブルなど、充電電源に付属のケーブルによって再充電してもよい。別の実施形態において、電源１１２は、非接触式充電器と電源１１２との両者がごく近くに近づいたときに電磁場を利用して非接触式充電器から電源１１２にエネルギーが移る非接触式充電によって再充電してもよいが、ケーブルを介してお互いに接続する必要はない。ある実施形態において、ドッキングステーションを用いて充電を容易にしてもよい。他の実施形態において、センサモジュール１０２は、１つの電源１１２を別の電源１１２に交換することで新しく電力を得てもよい。
【００６２】
メモリ１１４は、アプリケーションプログラムの命令を保存し、運動のデータを保存するように構成してもよい。ある実施形態において、メモリ１１４は、本明細書で説明される運動モニタシステム１０の機能性の態様を実行するために用いられるアプリケーションプログラムを保存してもよい。ある実施形態において、メモリ１１４は、生データ、記録されたデータ、および／または計算されたデータを保存してもよい。またある実施形態において、以下でさらに詳しく説明するように、メモリ１１４は、データ保存のバッファとして機能してもよい。メモリ１１４は、読み出し専用メモリおよびランダムアクセスメモリの両方を含んでもよく、さらにメモリカードまたは他の取り外し可能な記憶装置を含んでもよい。
【００６３】
本発明のある実施形態において、メモリ１１４は、生データ、記録されたデータ、および／または計算されたデータを永久に保存してもよいが、一方で他の実施形態において、メモリ１１４はすべてまたは一部のデータを、バッファのように一時的にのみ保存してもよい。本発明のある実施形態において、メモリ１１４および／またはそれに関連するバッファは、本発明の特定のアプリケーションのためにある量のデータのみを保存し得るように、所定のサイズの記憶場所にデータを保存してもよい。
【００６４】
加速度センサ１１６は、センサモジュール１０２の加速度を測定するように構成してもよい。したがって、センサモジュール１０２が対象物１０４（個人１００の体１０６または１つの運動器具１０８など）に物理的に接続されるとき、加速度センサ１１６は、対象物１０４の地球の重力場に起因する加速度を含む加速度を測定することが可能であってもよい。ある実施形態において、加速度センサ１１６は、３つの直交方向への加速度を測定できる三軸加速度計を含んでもよい。他の実施形態において、１つ、２つ、３つ、またはそれ以上の分離した加速度計を用いてもよい。
【００６５】
磁場センサ１１８は、センサモジュール１０２近傍の磁場の強度と方向を測定するように構成してもよい。したがって、センサモジュール１０２が対象物１０４（個人１００の体１０６または１つの運動器具１０８など）に物理的に接続されるとき、磁場センサ１１８は、対象物１０４近傍の地球の磁場を含む磁場の強度と方向を測定することが可能であってもよい。ある実施形態において、磁場センサ１１８は、ベクトル磁力計としてもよい。他の実施形態において、磁場センサ１１８は、三次元における局所磁場を合計した合成磁気ベクトルの大きさと方向を測定可能な三軸磁力計としてもよい。また他の実施形態において、１つ、２つ、３つ、またはそれ以上の分離した磁力計を用いてもよい。
【００６６】
本発明のある実施形態において、加速度センサ１１６および磁場センサ１１８は、スイス・ジュネーブのＳＴマイクロエレクトロニクス社製の型番がＬＳＭ３０３ＤＬＨＣである単独の加速度計―磁力計モジュールに含まれていてもよい。他の実施形態において、センサモジュール１０２は、必要に応じて加速度センサ１１６および磁場センサ１１８のうちの１つを含み、他方を省いてもよい。
【００６７】
図４に図示されたトランシーバ１２２は、以下でさらに詳しく説明するように、センサモジュール１０２が運動モニタシステム１０の他の構成要素と無線で通信できるようにしてもよい。ある実施形態において、運動モニタシステム１０のセンサモジュール１０２およびそこに含まれる他の構成要素は、例えば、ＡＮＴ、ダイナストリーム・イノベーションズ社のＡＮＴ＋、ブルートゥース、低エネルギーブルートゥース、ブルーロビン、または適切な無線パーソナルエリアネットワークプロトコルもしくはローカルエリアネットワークプロトコルなどのプロトコルのうちの１つ以上を用いて、パーソナルエリアネットワークまたはローカルエリアネットワーク上で通信してもよい。また、運動モニタシステム１０に適する他の公知の通信プロトコルを用いてもよい。
【００６８】
ある実施形態において、トランシーバ１２２は低電力トランシーバである。またある実施形態において、トランシーバ１２２は双方向通信トランシーバ１２２としてもよく、一方、他の実施形態において、トランシーバ１２２は一方向の送信機または一方向の受信機としてもよい。運動モニタシステム１０のセンサモジュール１０２と他の構成要素との無線通信は、以下でさらに詳しく説明する。他の実施形態において、センサモジュール１０２は、トランシーバ１２２に依存しない運動モニタシステム１０の他の構成要素と有線通信を行ってもよい。
【００６９】
本発明のある実施形態において、個人１００が運動している間、個人１００の体１０６または個人の１つの運動器具１０８の空間における方向の変化をモニタする、あるいは体１０６または器具１０８の動きのデータと運動量との間の相関を求めるために、図４に図示されているような構成要素を有するセンサモジュール１０２を対象物１０４に物理的に接続してもよい。これらの実施形態において、加速度センサ１１６および磁場センサ１１８は、様々なモニタ計算を実行するために必要なデータを集めるのを担当してもよい。
【００７０】
他の実施形態において、しかしながら、センサモジュール１０２内に追加のセンサを有する、またはセンサモジュール１０２と通信する追加のセンサを有することが望ましい場合があり得る。さらに別の実施形態において、センサモジュール１０２は、例えば、心拍計、歩数計、および加速度計に基づいたモニタ装置などの、追加または異なるセンサを有するかもしれない既存の運動モニタ機器、あるいは他の携帯健康モニタ装置内に一体化してもよい。
【００７１】
加速度センサ１１６および磁場センサ１１８に加えて、センサモジュール１０２の一部とし得る他のセンサ、またはセンサモジュール１０２とは分離しているがセンサモジュール１０２と通信し得る他のセンサには、様々な運動のパフォーマンスパラメータを測定できるセンサを含んでもよい。「パフォーマンスパラメータ」という表現は、個人１００の運動に関する身体的なパラメータおよび／または生理学的なパラメータを含んでもよい。測定される身体的なパラメータは、時間、距離、スピード、ペース、ペダルをこいだ回数、ホイールの回転数、回転全般、歩数、歩幅、滞空時間、一歩のスピード、高度、張力、衝撃力、跳躍力、力全般、および跳躍の高さを含んでもよいが、これに限定するものではない。測定される生理学的なパラメータは、心拍数、呼吸速度、血中酸素濃度、血中乳酸濃度、血流、水分補給レベル、消費カロリー、または体温を含んでもよいが、これに限定するものではない。
【００７２】
これらのパラメータを測定することが可能であってもよい実際のセンサは、歩数計、血圧計、温度計、高度計、圧力センサ、ひずみ計、自転車の電力計、自転車のクランクもしくはホイール位置センサ、磁気センサ、角運動量センサ（例えば、ジャイロスコープ）、抵抗センサ、または力覚センサを含んでもよいが、これに限定するものではない。
【００７３】
図５は、上述の追加のセンサのうちのいくつか、および他の追加の構成要素を組み入れ得る本発明の別の実施形態によるセンサモジュール１０２の構成要素のブロック図である。図示されている実施形態において、センサモジュール１０２は、センサモジュール１０２の機能性を実行するためにお互いに効果的に接続されているプロセッサ１１０、電源１１２、メモリ１１４、加速度センサ１１６、磁場センサ１１８、ユーザーインタフェイス１２０、およびトランシーバ１２２、角運動量センサ１２４、心拍計１２６、温度センサ１２８、位置受信機１３０、データポート１３２、およびタイマー１３４を含む。他の実施形態において、センサモジュール１０２のこれらの構成要素のうちの１つ以上を省いてもよいし、または１つ以上の追加の構成要素を加えてもよい。
【００７４】
図５の実施形態のプロセッサ１１０、電源１１２、メモリ１１４、加速度センサ１１６、磁場センサ１１８、およびトランシーバ１２２は、図４で類似の構成要素に関して上述したものと同様の構造および機能を有してもよい。ある実施形態において、トランシーバ１２２は双方向通信トランシーバ１２２としてもよく、一方、他の実施形態において、トランシーバ１２２は一方向の送信機または一方向の受信機としてもよい。
【００７５】
センサモジュール１０２のユーザーインターフェイス１２０を用いて、個人１００がセンサモジュール１０２とやりとりしてもよい。ある実施形態において、ユーザーインターフェイス１２０は、タッチスクリーン表面のグラフィカルユーザーインターフェイスのバーチャルなボタン、スイッチ、またはキーを含む１つ以上の入力ボタン、スイッチ、またはキーを含んでもよい。この各ボタン、スイッチ、およびキーの機能はセンサモジュール１０２の動作モードに基づいて判断することができる。ある実施形態において、ユーザーインターフェイス１２０はタッチパッド、スクロールパッド、および／またはタッチスクリーンを含んでもよい。別の実施形態において、ユーザーインターフェイス１２０は静電容量スイッチを含んでもよい。さらに別の実施形態において、ユーザーインターフェイス１２０は、音声コントロールを含んでもよい。
【００７６】
ある実施形態において、しかしながら、センサモジュール１０２はユーザーインターフェイス１２０を含まなくてもよい。これらの実施形態において、センサモジュール１０２は、それ自体がユーザーインターフェイスを含み得る運動モニタシステム１０の他の構成要素と通信することが可能であってもよい。
【００７７】
角運動量センサ１２４は、例えば、ジャイロスコープとしてもよいが、センサモジュール１０２の角運動量または方向を測定するように構成してもよい。したがって、センサモジュール１０２が対象物１０４（個人１００の体１０６または運動器具１０８など）に物理的に接続されていると、角運動量センサ１２４は対象物１０４の角運動量または方向を測定することが可能であってもよい。ある実施形態において、角運動量センサ１２４は、３つの垂直軸について角回転を測定できる三軸ジャイロスコープとしてもよい。他の実施形態において、１つ、２つ、３つ、またはそれ以上の分離したジャイロスコープを用いてもよい。ある実施形態において、角運動量センサ１２４を用いて、加速度センサ１１６および磁場センサ１１８のうち１つ以上から得られた測定結果を較正してもよい。
【００７８】
心拍計１２６は、個人の心拍数を測定するように構成してもよい。心拍計１２６は、個人１００の胸部の肌などの個人の肌に接触するように設置してもよく、ストラップで固定してもよい。心拍計１２６は、個人１００の心臓の電気的活動を読み取ることが可能であってもよい。
【００７９】
温度センサ１２８は、例えば、温度変化を測定する温度計、サーミスタ、熱電対などとしてもよい。ある実施形態において、温度センサ１２８は、例えば、加速度センサ１１６や磁場センサ１１８などの運動モニタシステム１０の他のセンサを較正するために主に用いてもよい。
【００８０】
ある実施形態において、位置受信機１３０は、見通し線に沿って衛星位置システム衛星から電波で送信される時間信号を用いて、その位置（すなわち、経度、緯度、および高度）を測定することができる電子式衛星位置受信機としてもよい。公知の衛星位置システムは、ＧＰＳシステム、ガリレオシステム、北斗システム、およびＧＬＯＮＡＳＳシステムを含む。別の実施形態において、位置受信機１３０は、電波信号三角測量または他の同様の原理を用いてセンサモジュール１０２の位置を求め得るように、近くまたは遠くの基地局あるいは電波送信トランシーバと通信できるアンテナとしてもよい。またある実施形態において、位置受信機１３０のデータによって、中間位置、時間、位置、移動距離、スピード、ペース、または高度を測定し、かつ／または計算するために用いることができる情報をセンサモジュール１０２が検出することが可能であってもよい。
【００８１】
データポート１３２は、センサモジュール１０２への情報の転送およびセンサモジュール１０２からの情報の転送を容易にしてもよく、それは例えば、ＵＳＢポートとしてもよい。ある例示的な実施形態において、それに加えてまたはその代わりに、データポート１３２は、電源１１２を充電するために電源１１２への電力の転送を容易にしてもよい。
【００８２】
タイマー１３４は、絶対時間を追跡でき、かつ／または経過時間を求められる時計としてもよい。ある実施形態において、あるデータが測定または記録された時間を求め、様々なデータの様々なタイムスタンプを互いに関連づけることができるように、タイマー１３４を用いて、あるデータの記録にタイムスタンプを付加してもよい。
【００８３】
本発明のある実施形態において、図５に図示されているような構成要素を有するセンサモジュール１０２は、個人１００が運動している間、個人１００の体１０６または個人の１つの運動器具１０８の空間における方向の変化をモニタする、あるいは体１０６または器具１０８の動きのデータと運動量との間の相関を求めるために、対象物１０４に物理的に接続してもよい。これらの実施形態において、加速度センサ１１６、磁場センサ１１８、および／またはそこに含まれる他のセンサは、様々なモニタ計算を実行するために必要なデータを集めるのを担当してもよい。他の実施形態において、しかしながら、センサモジュール１０２内に追加のセンサを有すること、センサモジュール１０２と通信する追加のセンサを有すること、またはセンサモジュール１０２がより少ないセンサを有することが望ましい場合があり得る。
【００８４】
図６Ａは、本発明の実施形態による個人１００の体１０６をモニタするように構成されたセンサモジュール１０２の図である。図示されているセンサモジュール１０２は、個人１００の体１０６の胸部と知られる部分に物理的に接続させるように構成されている図１に図示されたセンサモジュール１０２と類似のものとしてもよい。本発明のある実施形態において、図６Ａのセンサモジュール１０２は、個人１００が運動している間、個人１００の体１０６の空間における方向の変化をモニタする、または体１０６の動きのデータと運動量との間の相関を求めるために、個人１００の体１０６に物理的に接続してもよい。
【００８５】
図６Ａに図示されているように、ある実施形態において、センサモジュール１０２はハウジング１３６を含んでもよい。ハウジング１３６は、図４または図５を参照して上述した例示的なセンサモジュール１０２の様々な電子式構成要素を収納し、保護し得る。図６Ａで、ハウジング１３６は、円形の円盤状のハウジングとして図示しているが、ハウジング１３６は、センサモジュール１０２の必要な構成要素を収容し、個人１００の体１０６の所与の部分に物理的に接続できるのに適した任意の大きさおよび形をとってもよい。ある実施形態において、ハウジングは、例えば、ＴＰＵなどのプラスチック、または他の適切に丈夫な素材でできたものであってもよい。
【００８６】
ある実施形態において、センサモジュール１０２はまた、ボタンおよび／またはディスプレイを含んでもよい。ボタンは、センサモジュール１０２のユーザーインターフェイスとして働いてもよい。ボタンは、センサモジュール１０２のスイッチを入れたり切ったり、または様々なディスプレイのオプションを切り替えたり、または他の様々な機能を提供したりすることが可能であってもよい。あるいは、複数のボタンを提供することも、またはボタンを提供しないこともあり得る。ある実施形態において、ディスプレイは、個人１００にセンサモジュール１０２の状態または電池の寿命を伝えることができる比較的シンプルなＬＥＤディスプレイとしてもよい。別の実施形態において、ディスプレイは、個人１００にパフォーマンスパラメータの情報、フィードバック、または他の情報を映すことができる７セグメントＬＣＤディスプレイなどのより進んだディスプレイとしてもよい。あるいは、図６Ａに図示しているように、ボタンまたはディスプレイを提供しないこともあり得る。
【００８７】
他の実施形態において、センサモジュール１０２は、個人１００と音声通信するためのスピーカーおよび／またはマイクなどの音声コントロールを含んでもよい。これら構成要素は、センサモジュール１０２のユーザーインターフェイスとして働いてもよい。これらの音声コントロールは、センサモジュール１０２のスイッチを入れたり切ったり、または様々なディスプレイのオプションを切り替えたり、または他の様々な機能を提供したりすることが可能であってもよい。ある実施形態において、音声コントロールは、個人１００にセンサモジュール１０２の状態または電池の寿命を伝えてもよい。別の実施形態において、音声コントロールは、パフォーマンスパラメータの情報、フィードバック、または他の情報を個人１００に出力する、または個人１００から受信することが可能であってもよい。ある実施形態において、音声コントロールは個人１００の音声指令を受けることが可能であってもよい。別の実施形態において、センサモジュール１０２は、ヘッドホンなどの別の装置を介し無線で音声情報をユーザに中継することが可能であってもよい。あるいは、図６Ａに図示しているように、音声コントロールを提供することもあり得る。
【００８８】
図６Ｂは、本発明の実施形態によるスポーツボールをモニタするためにセンサモジュール１０２を備えたスポーツボールの図である。図示されているセンサモジュール１０２は、１つの運動器具１０８すなわちサッカーボールに物理的に接続するように構成されている図２に図示されたセンサモジュール１０２と類似のものとしてもよい。本発明のある実施形態において、サッカーボールに組み入れられている図６Ｂのセンサモジュール１０２を用いて、運動の間、例えば、個人１００がサッカーボールを蹴った結果としてのサッカーボールの空間における方向の変化をモニタしてもよいし、またはボールの動きのデータと運動量との間の相関を求めてもよい。
【００８９】
図６Ｂに図示されているように、ボールは、ボールの中空の空間を囲む外層１４２を含むことができる。外層１４２は革もしくはプラスチックのパネルを縫い合わせ、貼り合わせ、かつ／または接着剤でつけてもよく、必要であれば、内部の空気袋にアクセスできるように網目状にしてもよい。他の実施形態において、ボールは、単一の堅い層または複数の異なる層を含んだ中空でないスポーツボール（例えば、野球のボール、ボウリングのボール、ゴルフボールなど）としてもよい。ある実施形態において、センサモジュール１０２は個人への販売前にボールに取り付ける、または組み入れてもよく、一方、他の実施形態において、ボールを購入後に個人がセンサモジュール１０２を挿入してもよい。ある実施形態において、ボールは、もしあるならば、体に装着するセンサモジュール１０２について上述したものと同様のボタンおよびディスプレイを含んでもよい。あるいは、図６Ｂに図示しているように、ボタンまたはディスプレイを提供しないこともあり得る。
【００９０】
本発明のある実施形態において、センサモジュール１０２は、有線または無線の技術を介して運動モニタシステム１０の他の構成要素と通信してもよい。センサモジュール１０２と運動モニタシステム１０の他の構成要素との間で通信することは、様々な理由で望ましい場合があり得る。例えば、センサモジュール１０２が運動の情報を記録し保存すれば、追加のデータ処理、データの可視化、他人との共有、以前記録した運動の情報との比較、または他の様々な理由のために別の電子装置にこの情報を送信することは有用となり得る。さらなる例として、センサモジュール１０２の処理能力、広域ネットワーク通信性能、センサの性能、または他の性能が不足している場合は、これらの性能を運動モニタシステム１０の他の構成要素から提供することができる。このことを理解した上で、可能な通信手段を以下で簡単に説明する。
【００９１】
センサモジュール１０２とパーソナルコンピュータ２０４との間の有線での通信は、例えば、パーソナルコンピュータ２０４の通信ポートに差し込まれた通信線を用いてパーソナルコンピュータ２０４に取り付けられたドッキングユニットにセンサモジュール１０２を設置することにより行ってもよい。別の実施形態において、センサモジュール１０２とパーソナルコンピュータ２０４との間の有線での通信は、例えば、センサモジュール１０２とコンピュータ２０４との間をケーブルで接続することにより行ってもよい。センサモジュール１０２のデータポート１３２およびコンピュータ２０４の通信ポートは、ＵＳＢポートを含んでもよい。センサモジュール１０２およびコンピュータ２０４を接続するケーブルは、ＵＳＢ−ＡもしくはＵＳＢ−Ｂ標準、ミニ、またはマイクロプラグを含むがこれに限らない適切なＵＳＢプラグを有するＵＳＢケーブル、あるいは、例えば、ファイヤワイヤ、イーサネット（登録商標）、サンダーボルトケーブルなどの他の適切なケーブルとしてもよい。上述したとおり、ある実施形態において、電源１１２を充電するために、そのようなケーブルを用いて、センサモジュール１０２の電源１１２への電力の転送を容易にすることができるであろう。あるいは、電源１１２は、非接触充電によって、またはドッキングステーションを用いて再充電してもよい。
【００９２】
パーソナルコンピュータ２０４に有線で接続することは、例えば、センサモジュール１０２からパーソナルコンピュータ２０４に運動の情報をアップロードする、またはパーソナルコンピュータ２０４からセンサモジュール１０２にアプリケーションソフトのアップデートもしくはセッティングをダウンロードするのに有用であり得る。
【００９３】
センサモジュール１０２とパーソナルコンピュータ２０４との間の無線による通信は、例えば、無線の広域エリアネットワーク（例えば、インターネットなど）、無線のローカルエリアネットワーク、または無線のパーソナルエリアネットワーク経由で実現し得る。当業者には公知であるように、無線エリアネットワークを実現するのに適切な標準かつ登録商標のある公知のプロトコル（例えば、ＴＣＰ／ＩＰ、ＩＥＥＥ８０２．１６、ブルートゥース、低エネルギーブルートゥース、ＡＮＴ、ダイナストリーム・イノベーションズ社のＡＮＴ＋、ブルーロビンなど）が多くある。したがって、本発明の実施形態は、センサモジュール１０２と本発明の運動モニタシステム１０の様々な要素との間の通信にどの特定のプロトコルを用いることも制限しない。
【００９４】
ある実施形態において、センサモジュール１０２は、携帯電話に採用されているような無線の広域エリアネットワーク通信システムを用いて通信してもよい。例えば、無線の広域エリアネットワーク通信システムは、地域に分布している多くの通信塔および基地局システムを含んでもよい。通信塔は、センサモジュール１０２などの、長距離双方向電波通信無線装置に対応した１つ以上のアンテナを含んでもよい。アンテナとセンサモジュール１０２との間の電波通信は、例えば、ＣＤＭＡ、ＧＳＭ（登録商標）、ＥＤＧＥ、３Ｇ、４Ｇ、ＩＥＥＥ８０２．ｘ（例えば、ＩＥＥＥ８０２．１６（ＷｉＭＡＸ））などの、任意の公知の無線プロトコルまたは今後発達する無線プロトコルに即して、電波信号を利用してもよい。基地局システムおよび携帯電話通信塔によってセンサモジュール１０２に無線で送信された情報は、例えば、インターネットなどを含む１つ以上の追加の回線交換またはパケット交換の通信ネットワークとさらに送受信してもよい。
【００９５】
図７に示すように、ネットワーク２００を介してセンサモジュール１０２、パーソナルコンピュータ２０４、および／またはリモートサーバ２０２との間でも通信が行われる。ある実施形態において、ネットワーク２００はインターネットである。インターネットは、データ通信にインターネットプロトコル（ＴＣＰ／ＩＰ）を採用したサーバ、ルータ、スイッチ、および通信線の世界的な集合である。ネットワーク２００はまた、センサモジュール１０２、パーソナルコンピュータ２０４、サーバ２０２、およびドッキングユニットのうちのどの２つ以上の間の通信にも採用してよい。本発明のある実施形態において、情報はセンサモジュール１０２とサーバ２０２との間でネットワーク２００を介して直接通信され、したがってパーソナルコンピュータ２０４は迂回される。
【００９６】
センサモジュール１０２、パーソナルコンピュータ２０４、ネットワーク２００、サーバ２０２、または、例えば、別のセンサモジュール１０２、携帯電話、タブレットコンピュータ、もしくは他の携帯電子装置などの他の電子構成要素のうちのどの間でも、様々な情報を通信してもよい。そのような情報は、例えば、パフォーマンスパラメータのデータ、装置のセッティング（センサモジュール１０２のセッティングを含む）、ソフトウェア、ファームウェアなどを含んでもよい。
【００９７】
運動が終了した後または運動中リアルタイムに、本発明の様々な要素の間で通信が行われ得る。加えて、例えば、センサモジュール１０２とパーソナルコンピュータ２０４との間のやりとり、およびパーソナルコンピュータ２０４とサーバ２０２との間のやりとりは、異なる時間に行われ得る。
【００９８】
本発明のある実施形態において、運動モニタシステム１０を用いる個人１００は、個人の体１０６または１つの運動器具１０８に物理的に接続されたセンサモジュール１０２を身につけて運動し得るが、運動モニタシステム１０の一部を構成する他の携帯電子装置を個人のごく近傍に置いては運動しないかもしれない。そのような実施形態において、センサモジュール１０２はそれ自体のセンサを用いて運動をモニタするであろう。センサモジュール１０２はまた、個人１００の体１０６または個人の１つの運動器具１０８の空間における方向の変化をモニタするのに必要な計算、あるいは体１０６または器具１０８の動きのデータと運動量との間の相関を求めるのに必要な計算を実行し得る。
【００９９】
あるいは、同様に、個人１００の体１０６または個人の１つの運動器具１０８の空間における方向の変化をモニタするのに必要な計算、あるいは体１０６または器具１０８の動きのデータと運動量との間の相関を求めるのに必要な計算を、運動中に個人１００の遠隔地にある運動モニタシステム１０の別の構成要素に依存し得る。このことは、例えば、運動中または運動後に、運動パフォーマンスの情報がセンサモジュール１０２からパーソナルコンピュータ２０４に直接無線送信された後、あるいは運動後に運動パフォーマンスの情報がセンサモジュール１０２からパーソナルコンピュータ２０４またはサーバ２０２に直接有線送信された後に行われ得る。
【０１００】
しかしながら、本発明の他の実施形態において、図８Ａに図示されているように、センサモジュール１０２は、運動中に個人１００が携帯する運動モニタシステム１０の携帯電子装置２０６と通信してもよい。ある実施形態において、携帯電子装置２０６は、個人１００以外の別の人物が携帯してもよく、または誰も携帯しないこともあり得る。ある実施形態において、携帯電子装置２０６は、腕時計、携帯電話、タブレットコンピュータ、または他の携帯電子装置としてもよい。
【０１０１】
携帯電子装置２０６は、例えば、追加のデータ処理の提供、追加のデータ保存の提供、データの可視化の提供、センサの追加性能の提供、ネットワーク２００への情報の中継、音楽再生の提供などを含む様々な用途を実現し得る。
【０１０２】
本発明のある実施形態において、携帯電子装置２０６は専用の携帯電子装置２０６としてもよい。「専用の携帯電子装置」という表現は、携帯電子装置２０６が本発明の運動モニタシステム１０以外に別の用途を実現することができないということを示している。例えば、携帯電話、携帯情報端末、デジタル音楽ファイルプレイヤー（例えば、ＭＰ３プレイヤー）などは本明細書で用いる表現である「専用携帯電子モニタ装置」とみなし得ない。このように、専用携帯電子モニタ装置２０６は、ある実施形態においてより単純な装置および／またはより効率のいい装置を提供し得る。
【０１０３】
図８Ａに図示されている携帯電子装置２０６は、専用の携帯電子モニタ装置ではなく、図８Ａに図示されている携帯電子装置２０６は携帯電話である。別の実施形態において、センサモジュール１０２自体を携帯電話で実現することが可能であり得る。運動をしているときでさえ個人は普通に携帯電話を持ち運び、個人１００が追加のコストをかけることなく携帯電話はかなりの追加の計算および通信力を提供できるので、運動モニタシステム１０に携帯電話などの携帯電子装置２０６を含むことは望ましい場合があり得る。
【０１０４】
上述の観点から、本明細書に記載した様々な処理ステップまたは他の計算は、本明細書で開示した運動モニタシステム１０の様々な実施形態によって実行することができ、本発明の特定の実施形態の構成に依存してセンサモジュール１０２が実行することに必ずしも限定されるものではないことは明らかである。例えば、様々な実施形態において、本明細書に記載した処理ステップまたは他の計算のいずれも、センサモジュール１０２によって、サーバコンピュータ２０２によって、パーソナルコンピュータ２０４によって、携帯電子装置２０６によって、および／またはネットワーク上の他の任意の構成要素によって、あるいは１つより多くの構成要素によって実行し得る。
【０１０５】
本発明の実施形態は、いわゆる「クラウドコンピューティング」を用いて行ってもよい。クラウドコンピューティングは、製品よりもむしろサービスとして、共有リソース、ソフトウェア、および情報がネットワーク（一般的にはインターネット）によるユーティリティとしてコンピュータおよび他の装置に提供される計算の配信を含んでもよい。クラウドコンピューティングは、ネットワークに公開されたアプリケーションプログラムインターフェイス上のユーザのデータ、ソフトウェア、および計算を伴うサービス（一般的には集中化する）を委託してもよい。エンドユーザはウェブブラウザ、または軽量のデスクトップまたはモバイルアプリを通してクラウドベースのアプリケーションにアクセスしてもよく、一方で、ビジネスソフトウエアおよびデータは遠隔地にあるサーバに保存される。クラウドアプリケーションの提供者は、ソフトウェアプログラムがエンドユーザのコンピュータにローカルにインストールされた場合と同様の、またはより良いサービスおよびパフォーマンスを提供できるようにしばしば努めている。
【０１０６】
図８Ｂは、第１のセンサモジュール１０２が第２のセンサモジュール１０２と無線通信しているところを図示している。ある実施形態において、同じ運動チームに属する個人１００を含む別の個人１００が、最初にパーソナルコンピュータ２０４またはサーバ２０２などの遠隔コンピュータを通してデータを送信する必要なく、運動のパフォーマンスを比較する、またはその他のデータを交換することができるように、そのような通信が望ましい場合があり得る。
【０１０７】
図９は、本発明の実施形態によるグループモニタシステムの図である。例示的な実施形態において、例えば、図９に図示されているグループモニタシステム２５０は、少なくとも１つの携帯電子装置２０６、少なくとも１つのベースステーション２６０、および少なくとも１つのグループモニタ装置２７０を含む。携帯電子装置２０６は個人１００に接続してもよい。携帯電子装置２０６は、個人１００もしくは運動器具１０８に関するセンサモジュール１０２、または加速度センサ１１６、磁場センサ１１８、歩数計、心拍計、位置センサ、圧力センサ、カメラ、ジャイロスコープ、マイク、温度センサ、および風センサを含むがこれらに限定するものではない個別のセンサを含むか、またはこれらと通信してもよい。
【０１０８】
例示的な実施形態において、携帯電子装置２０６および／またはセンサモジュール１０２は、センサの外装、心拍計、および位置センサを含んでもよい。位置センサは、例えば、衛星にもとづく位置システムを用いる位置センサ、ビーコンシステム（例えば、三角測量および／またはある地域または行動範囲の既知の位置にあるアンテナが受信する信号の時間差を用いた位置決定）を用いる位置センサ、または他の任意の適切な位置決定システムを用いる位置センサを含んでもよい。ある例示的な実施形態において、グループモニタ装置２７０はコーチが用いてもよい。
【０１０９】
センサモジュール１０２は、個人１００の運動への参加に備えて、個人１００に装着してもよい。ある特定の個人１００に装着したセンサモジュール１０２は、有線または無線で、これもその特定の個人１００に装着されている携帯電子装置２０６に接続することができる。センサモジュール１０２は、個人１００の運動参加中の個人１００についての特徴を感知し、その特徴を示すデータを携帯電子装置２０６に送信してもよい。次に、携帯電子装置２０６が、運動中にベースステーション２６０へデータを送信する。ある実施形態において、センサモジュール１０２および携帯電子装置２０６は１つの装置に統合してもよい。追加の実施形態において、図９にさらに図示されているように、センサモジュール１０２は、携帯電子装置２０６を介してデータを送信することなく、直接ベースステーション２６０と通信することが可能であってもよい。
【０１１０】
ある例示的な実施形態において、この送信はリアルタイムに行われる。本明細書で用いる「リアルタイム」は、送信技術に固有の遅延、リソースを最適化するために設計された遅延、および当業者にとって明らかである他の固有の遅延または望ましい遅延を含んでもよい。またある例示的な実施形態において、この送信はリアルタイムから遅らせる、すなわち運動終了後に行ってもよい。ベースステーション２６０はデータを受信し得、データからメトリクスを求め得るが、ここでメトリクスとはセンサモジュール１０２が求めた特徴を表したものであってもいいし、またはアルゴリズムおよび他のデータ操作技術を用いてデータから得られたさらなる特徴を表したものであってもよい。次に、ベースステーション２６０は、運動中にグループモニタ装置２７０にメトリクスを送信し得、グループモニタ装置２７０はメトリクスを受信し、メトリクスを表したものを表示し得る。
【０１１１】
グループモニタ装置２７０は、複数の個人１００のメトリクスを受信してもよく、そのメトリクスに関する個人１００に対応付けて受信したメトリクスを表示してもよい。このように、運動中にグループモニタ装置２７０を見ているコーチは、多数の個人１００についての詳細な情報を受け、かつ必要であるまたは適切であると判断された情報に基づいて行動することができ、それによって運動中の個人１００を効率的にモニタし、管理することができる。
【０１１２】
ある例示的な実施形態において、センサモジュール１０２または携帯電子装置２０６は、データに基づいてメトリクスを計算し、データとともに、またはデータの代わりにこれらメトリクスをベースステーション２６０に転送する。またある例示的な実施形態において、ベースステーション２６０は、メトリクスとともに、またはメトリクスの代わりに、グループモニタ装置２７０にデータを送信する。さらに例示的な実施形態において、グループモニタ装置２７０は、データに基づいてメトリクスを計算する。
【０１１３】
ベースステーション２６０は、自己内蔵型の携帯システムとすることができ、そこには本明細書で述べるベースステーション２６０の機能を実行するのに必要とする、または望まれるすべてのハードウェアを内蔵し得る。ある例示的な実施形態において、ベースステーション２６０は携帯用として構成される。またある例示的な実施形態において、ベースステーション２６０は運動をする位置に設置するように構成される。例示的な実施形態において、ベースステーション２６０は、運動をする様々な位置に設置できるように運動をする位置の間を移動できるよう構成される。ある例示的な実施形態において、ベースステーション２６０自体が、例えば、ＧＰＳセンサ（または他の位置センサ）、ジャイロスコープ、磁力計、温度センサ、湿度センサ、および／または風センサなどのセンサを含む。そのようなセンサは、以下で述べるように、個人１００に関するメトリクスを測定するアルゴリズムで用いることができる様々な有用なデータを提供することができる。
【０１１４】
ある例示的な実施形態において、ベースステーション２６０は参照センサ（例えば、ＧＰＳ参照センサ）を含み、これは、ベースステーション２６０内に物理的に含まれてもよいし、またはベースステーション２６０から独立し、それに対する既知の位置にベースステーション２６０から離れて設置してもよい。参照センサは有線または無線でベースステーション２６０に接続することができる。逸脱した信号を検出し、受信した位置信号（例えば、ＧＰＳデータ）の補正信号を計算するのにその逸脱した信号を用いるために、参照センサを用いることができる。この補正信号は、センサモジュール１０２または携帯電子装置２０６に（例えば、ベースステーション２６０を介して）送ることができる。この補正信号は、センサモジュール１０２または携帯電子装置２０６による位置決定の補正に用いることができ、それによって精度を増すことができる。そのような補正信号を求め、センサモジュール１０２または携帯電子装置２０６に送ることで、処理性能を効率的に用いることができる。なぜならセンサモジュール１０２または携帯電子装置２０６は補正信号を測定するという負荷がかからず、ベースステーション２６０または参照センサが求めた補正信号を単に受信し用いるだけだからである。
【０１１５】
ベースステーション２６０は、ＲＦ通信、ＷＬＡＮ通信、ＩＳＭ通信、携帯電話通信（例えば、ＧＳＭ（登録商標）ブロードバンド２．５Ｇまたは３Ｇ、４Ｇ、ＬＴＥなど）、他の適切な通信、またはそれらの組み合わせのうちの１つ以上で構成されたアンテナを介して、センサモジュール１０２または携帯電子装置２０６からのデータを送受信してもよい。ベースステーション２６０とセンサモジュール１０２または携帯電子装置２０６との間の通信は、双方向または一方向性としてもよい。次いで、ベースステーション２６０は、受信したデータからメトリクスを測定することができる。上述したように、ベースステーション２６０は、センサモジュール１０２または携帯電子装置２０６からデータを受信する。ベースステーション２６０のデータ受信モジュールは、稼働中のセンサモジュール１０２または携帯電子装置２０６のそれぞれと通信してもよい。
【０１１６】
グループモニタ装置２７０は、ベースステーション２６０からメトリクス、警報、および他の情報（例えば、個人１００の認識情報および属性、または個人１００もしくは運動一般に関する統計など）を無線で受信することができる。単一のグループモニタ装置２７０がベースステーション２６０と通信してもよいし、多数のグループモニタ装置２７０がベースステーション２６０と同時に通信してもよい。ベースステーション２６０に対してグループモニタ装置２７０は携帯用としてもよく、ベースステーション２６０と、例えば、ＷＬＡＮ（無線ローカルエリアネットワーク）、２．４ＧＨｚ  ＩＳＭ（工業、科学、医療）周波帯、ブルートゥース（もしくは低エネルギーブルートゥース（ＢＴＬＥ））、または携帯電話プロトコルなどを介して通信してもよい。
【０１１７】
ある例示的な実施形態において、グループモニタ装置２７０は、１つ以上の動作モジュールの選択を表示できるモジュール選択素子を含む。動作モジュールは動作モジュールアイコンを用いて選択可能としてもよい。ある例示的な実施形態において、計画モジュールアイコンの選択は、運動を計画するために用いるよう設計された特色を含む計画モジュールを表示するためのトリガーとしてもよい。またある例示的な実施形態において、モニタモジュールアイコンの選択は、本明細書でさらに述べているように、運動中にリアルタイムに運動をモニタするために用いるよう設計された特色を含むモニタモジュールを表示するためのトリガーとしてもよい。ある例示的な実施形態において、解析モジュールアイコンの選択は、本明細書でさらに述べているように、運動中リアルタイムに、または運動終了後に運動を解析するのに用いるよう設計された特色を含む解析モジュールを表示するためのトリガーとしてもよい。また、ある例示的な実施形態において、レポートモジュールアイコンの選択は、運動に関するレポートを作成する（例えば、選択した情報のまとめを印刷または表示可能にする）のに用いるよう設計された特色を含むレポートモジュールを表示するためのトリガーとしてもよい。
【０１１８】
ある例示的な実施形態において、グループモニタ装置２７０はディスプレイおよび入力を含む。好ましい実施形態において、グループモニタ装置２７０はタブレットコンピュータ型の装置（タブレットパーソナルコンピュータまたはアップル社製のｉＰａｄブランドのタブレットなど）である。グループモニタ装置２７０は、しかしながら、例えば、ラップトップコンピュータ、スマートフォン、パーソナルコンピュータ、携帯電話、電子書籍端末、ＰＤＡ（携帯用情報端末）、スマートフォン、または情報を受信および表示でき、入力を受け付けることができる他の同様な装置などの、他の適切な装置としてもよい。
【０１１９】
適切なグループモニタシステムおよび構成要素は、例えば、本出願と同じ出願人が保有する米国特許出願番号１３／０７７，４９４、発明の名称「グループパフォーマンスをモニタするシステムおよび方法」に開示されたシステムおよび構成要素を含んでもよく、その全体が本明細書に参照により組み込まれる。
【０１２０】
例示的なセンサモジュール１０２を含む、本発明の運動モニタシステム１０の例示的な構成要素の実施形態の概要を上述してきた。個人１００の体１０６または個人の１つの運動器具１０８の空間における方向の変化をモニタする、あるいは体１０６または器具１０８の動きのデータと運動量との間の相関を求めるために本発明の運動モニタシステム１０を用いる様々な例示的な方法をこれから以下に説明する。
【０１２１】
運動している個人１００（またはコーチ、チームメイト、観客などの他の関係者）は、一連の運動中の個人１００の体１０６のモーションまたは個人の１つの運動器具１０８のモーションについての情報を取得することを希望する場合があり得る。
【０１２２】
例えば、もし個人１００がサッカーの試合でプレイするなど、スポーツボールの使用を伴う活動に参加している場合は、例えば、個人１００が蹴ったサッカーボール（すなわちフットボール）が様々な飛び出し角度を求められること、個人１００が蹴ったサッカーボールの回転スピードを求められること、または個人１００が蹴ったサッカーボールが飛んでいく時の最高スピードを求められることなどが望ましい場合があり得る。
【０１２３】
さらなる例として、もし個人１００がバスケットボールの技術を練習するなど、個人１００の胸部の様々な動きを伴う活動に参加している場合は、例えば、ディフェンダーの周りをドリブルしようとするときに個人１００が左に切り込んだのかまたは右に切り込んだのかを認識できること、ジャンプショットを打つ、ダンクシュートを試みる、またはブロックショットを試みるときに個人１００が飛んだ高さ、個人１００が飛んだ水平距離、または個人１００が飛んだときの力を求められること、あるいはバスケットボールに関する反応時間の訓練を行ったときに個人１００の反応時間を求められることが望ましい場合があり得る。
【０１２４】
上述したセンサモジュール１０２を含む運動モニタシステム１０を用いることにより、本発明の実施形態は、一連の運動中または運動終了後に、個人１００の体１０６のモーションもしくは個人１００の１つの運動器具１０８のモーションについてのこの、または他の情報を、個人１００（またはコーチ、チームメイト、観客）が取得することを有利に可能にし得る。
【０１２５】
サッカー（すなわちフットボール）およびバスケットボールというスポーツの文脈で本発明の様々な実施形態を説明しているが、本発明はそのように限定されるものではなく、例えば、野球、ボウリング、ボクシング、クリケット、自転車競技、フットボール（すなわち、アメリカンフットボール）、ゴルフ、ホッケー、ラクロス、ボート、ラグビー、ランニング、スケートボード、スキー、サーフィン、水泳、卓球、テニス、バレーボール、もしくはその運動に関するトレーニングなどを含む様々な異なるスポーツまたは運動に適用してもよい。加えて、サッカーで求められると述べた運動量は、適宜バスケットボールでも測定することができ得、逆もまた同様である。
【０１２６】
センサモジュール１０２によって得たデータは、運動中の当該対象物１０４のモーションについて役立つ情報を得るために、様々な方法で処理してもよい。ある実施形態において、個人１００の体１０６または個人１００の１つの運動器具１０８の空間における方向の変化をモニタするために、センサモジュール１０２のデータを処理してもよい。他の実施形態において、データ構造に保存されている動きのデータと運動量との間の所定の相関を参照して、センサモジュール１０２のデータを処理してもよい。
【０１２７】
個人１００の体１０６または個人１００の１つの運動器具１０８をモニタするために運動モニタシステム１０およびセンサモジュール１０２を用いるかどうかにかかわらず、個人１００の体１０６または個人１００の１つの運動器具１０８の空間における方向の変化をモニタしたいと考える本発明の実施形態において、モニタを実行するために共通の解析フレームワークを用いてもよい。この解析フレームワークは図１２に示している。
【０１２８】
図１２を参照して、そのような実施形態において、以下のような空間方向処理４００にしたがって対象物１０４の空間における方向の変化を測定するために、個人１００は運動モニタシステム１０のセンサモジュール１０２を用いてもよい。
【０１２９】
まず、ステップ４０２において、センサモジュール１０２は対象物１０４の動きを検出し得る。ある実施形態において、対象物１０４の動きは、センサモジュール１０２の加速度センサ１１６が取り込んだ加速度データに基づいて検出される。別の実施形態において、対象物１０４の動きは、センサモジュール１０２の磁場センサ１１８が取り込んだ磁場データに基づいて検出される。また別の実施形態において、対象物１０４の動きは、加速度データおよび磁場データの両方に基づいて検出される。
【０１３０】
ある実施形態において、磁場センサ１１８は、センサモジュール１０２近傍の磁場の強度および方向を測定するように構成してもよい。別の実施形態において、磁場センサ１１８は、センサモジュール１０２近傍の地球の磁場の強度および方向を測定するように構成してもよい。ある実施形態において、磁場センサ１１８は、局所的な磁場の合計および／または局所的な地球の磁場の合成磁気ベクトルの大きさおよび方向を測定することが可能であってもよい。
【０１３１】
モニタする対象物１０４がサッカーボールの場合、検出される動きは、個人１００がドリブルした結果として地面を転がるサッカーボールからなり得る。モニタする対象物１０４がバスケットボールをする個人１００の胸部である場合、検出される動きは、個人がコートでバスケットボールをドリブルするにつれて前へ移動する個人の胸部からなり得る。
【０１３２】
ある実施形態において、センサモジュール１０２は続いて、対象物１０４の動きが追跡すべき動きの発生を示すと判断することができる。ある実施形態において、所定の期間に閾値のデータ値が満たされると、対象物１０４の動きが追跡すべき動きの発生を示すと判断される。例えば、センサモジュール１０２は、対象物１０４の動きが所定の期間に加速度および／または磁場の変化において閾値に達したと判断し得る。
【０１３３】
ある実施形態において、追跡すべき動きの発生の判断は、追跡すべき動きがその判断より先にすでに始まっていることを示している。この場合、最近記録されたデータを調べる必要があり得る、または最近記録されたデータをほぼ永久的に保存し続ける必要があり得る場合には、センサモジュール１０２は、一時的にバッファに一連のデータを保存し得るので、追跡すべき動きの発生が見いだされたという判断に対応して、その動きに関するすべての関連データを取り込むことも可能である。他の実施形態において、追跡すべき動きの発生の判断は、追跡すべき動きが近い将来に始まろうとしていることを示している。ある実施形態において、センサモジュール１０２はデータを永久的または一時的に保存するように構成し、かつデータバッファがいっぱいになるような状況において、既定の期間データを保存するようにさらに構成してもよい。
【０１３４】
モニタする対象物１０４がサッカーボールの場合、個人１００がゴールを決めようと試みてボールを素早く蹴った結果のサッカーボールの動きが、キックに応じたボールのモーションを追跡すべきだという判断になり得る（その判断がなされる前、途中、および／または後のボールのモーションを含み得る）。モニタする対象物１０４がバスケットボールをする個人１００の胸部の場合、攻撃の動きを行う際の１８０度回転した個人１００の胸部の回転が、個人の胸部の回転を追跡すべきだという判断になり得る（その判断がなされる前、途中、および／または後の個人１００の胸部のモーションを含み得る）。
【０１３５】
次に、ステップ４０６において、追跡すべき動きの発生の判断に応じて、対象物１０４の空間における最初の方向を求め得る。ある実施形態において、対象物１０４の空間における最初の方向は、座標軸システムを参照して求め得る。
【０１３６】
座標軸システムは、対象物１０４の空間における方向の変化をモニタするのに有用な分析ツールである。図１０は、３つの軸、Ｘ軸、Ｙ軸、およびＺ軸を有する例示的な三次元のデカルト座標軸システム３００を示している。図１０に図示している座標軸システム３００には、２つのベクトル「Ｇ」および「Ｂ」が重ねられている。Ｙ軸のマイナス方向を指しているＧベクトル３０２は重力ベクトルを表している。Ｂベクトル３０４は合成磁場ベクトルを表している。
【０１３７】
図１１は別の例示的な三次元のデカルト座標軸システム３５０を示している。このシステム３５０は、対象物１０４などの剛体に対して６つの自由度を定義している。６つの自由度とは、図１１に図示されるように、三次元空間における剛体のモーション、すなわち前／後、上／下、左／右の移動（垂直な３つの軸上での移動）に３つの垂直な軸の周りの回転（縦揺れ、偏揺れ、横揺れ）を組み合わせた移動能力を言う。
【０１３８】
ステップ４０６についての説明に戻ると、ある実施形態において、対象物１０４の空間における最初の方向を測定することは、図１０に示されているような、重力ベクトル３０２に関して行われ得る。別の実施形態において、対象物１０４の空間における最初の方向を測定することは、図１０に示されているような、地球の磁場ベクトル３０４に関して行われ得る。他の実施形態において、対象物１０４の空間における最初の方向を測定することは、図１１を参照して説明されているように、６つの自由度を持つ三次元空間において対象物が移動し回転した経路の特徴に関して行われ得る。
【０１３９】
モニタする対象物１０４がサッカーボールの場合、追跡すべき特定の動き（すなわち、キックの結果としてのボールの動き）に対するサッカーボールの空間における最初の方向を測定することは、用いる特定のアプリケーションおよびアルゴリズムによって、例えば、個人１００の足がサッカーボールを素早く蹴った直前、その瞬間、またはその直後のサッカーボールの空間における方向として定義され得る。モニタする対象物１０４がバスケットボールをする個人１００の胸部の場合、追跡すべき特定の動き（すなわち、１８０度回転）に対する個人１００の胸部の空間における最初の方向を測定することは、用いる特定のアプリケーションおよびアルゴリズムによって、例えば、個人１００の胸部が回転し始めた直前、その瞬間、またはその直後の個人１００の胸部の空間における方向として定義され得る。
【０１４０】
ステップ４０８において、第１の時点で対象物１０４の空間における最初の方向が求められた後、対象物１０４の空間における方向の変化を求め得る。ある実施形態において、対象物が動く際の重力ベクトル３０２および／または磁場ベクトル３０４の方向の変化についての追加の情報を付加的に考慮し得ることを除いて、ステップ４０８での対象物１０４の空間における方向の変化を測定することは、ステップ４０６での対象物１０４の最初の方向を測定することと同様に行われ得る。
【０１４１】
モニタする対象物１０４がサッカーボールの場合、追跡すべき特定の動き（すなわち、キックの結果としてのボールの動き）に対するサッカーボールの空間における方向の変化を測定することは、用いる特定のアプリケーションおよびアルゴリズムによって、例えば、サッカーボールの最初の方向を認識したときからそれより後のまだボールが動いている時点、またはボールが動きを止めた時点までのサッカーボールの空間における方向の変化として定義され得る。モニタする対象物１０４がバスケットボールをする個人１００の胸部の場合、追跡すべき特定の動き（すなわち１８０度回転）に対する個人１００の胸部の空間における方向の変化を測定することは、用いる特定のアプリケーションおよびアルゴリズムによって、例えば、個人１００の胸部の最初の方向を認識した時点からそれより後の個人１００の胸部がまだ動いている時点、または個人１００の胸部が動きを止めた時点までの個人１００の胸部の空間における方向の変化として定義され得る。
【０１４２】
ステップ４１０において、ステップ４０８で求めた対象物１０４の空間における方向の変化に基づいて運動量が求められる。運動量の性質は、個人１００が行っている運動、ならびにモニタ中の特定の対象物１０４によって異なり得る。ある実施形態において、運動量は、例えば、飛び出し角度、回転スピード、ボールの軌道、スピード、ジャンプの高さ、ジャンプ力、ジャンプの距離、ジャンプの軌道、蹴る力、蹴る距離、衝突力、特定タイプの運動の動きの特徴、または反応時間の測定などに関連することがあり得る。他の実施形態において、運動量は、例えば、回転スピード、回転面、ジャンプ力、力の特性（運動する人の体または地面もしくは対象物にかかる力）、テニスにおけるストロークの情報、ゴルフ、野球、ホッケーのスティックのスイング特性、脚で蹴る時の特性、自転車のペダルの角度位置、自転車に乗る人の力の出力、疲労（繰り返しのモーション、すなわちランニング、懸垂、水泳、ボートこぎなどで起こり始める震え）、姿勢、投げるまたは腕を振る技術、射撃技術などであり得る。
【０１４３】
モニタする対象物１０４がサッカーボールの場合、キックの結果としてのボールの空間における方向の変化を用いて、例えば、ボールの飛び出し角度、ボールの回転スピード、飛び出しスピード、予想スピードまたは同様のメトリクスを求め得る。モニタする対象物１０４がバスケットボールをする個人１００の胸部の場合、１８０度回転中の個人１００の胸部の空間における方向の変化を用いて、例えば、個人がディフェンダーをポストアップし、次いでディフェンダーをかわすために１８０度回転を行ったということ、または同様のメトリクスを求め得る。他の実施形態において、個人１００の胸部の空間における方向の変化を用いて、ジャンプの高さまたはジャンプ力を求め得る。
【０１４４】
最後に、ステップ４１２において、個人１００、コーチ、チームメイト、観客、または他の任意の関係者にも運動量を伝える出力を提供する。ある実施形態において、出力は音声、映像、および／または触覚的な出力とし得る。
【０１４５】
本発明のある実施形態において、当該対象物１０４の空間における方向の変化をモニタしたいという要望の代わりに、データ構造に保存されている所定の相関関係に基づいて、個人１００の体１０６または個人１００の１つの運動器具１０８などの対象物１０４の動きを運動量に相関付けたいという要望があり得る。そのような相関付けを行うために共通の解析フレームワークを用い得る。この解析フレームワークは図１３に図示している。
【０１４６】
図１３を参照して、このような実施形態において、以下のような動作相関処理４２０にしたがって対象物１０４の動きに対するそのような相関を求めるために、個人１００は運動モニタシステム１０のセンサモジュール１０２を用いてもよい。
【０１４７】
まず、ステップ４２２において、センサモジュール１０２は対象物１０４の動きを検出し得る。このステップは、上述の空間方向処理４００のステップ４０２と同様に実行し得る。
【０１４８】
モニタする対象物１０４がサッカーボールの場合、検出される動きは個人１００がドリブルした結果として地面を転がるサッカーボールからなり得る。モニタする対象物１０４がバスケットボールをする個人１００の胸部である場合、検出される動きは個人がコートでバスケットボールをドリブルするにつれて前へ移動する個人の胸部からなり得る。
【０１４９】
ある実施形態において、センサモジュール１０２は続いて、対象物１０４の動きが追跡すべき動きの発生を示しているかを判断することができる。このステップは、上述の空間方向処理４００のステップ４０４と同様に実行し得る。
【０１５０】
モニタする対象物１０４がサッカーボールの場合、個人１００がゴールを決めようと試みてボールを素早く蹴った結果のサッカーボールの動きが、キックに応じたボールのモーションを追跡すべきだという判断になり得る（その判断がなされる前、途中、および／または後のボールのモーションを含み得る）。モニタする対象物１０４がバスケットボールをする個人１００の胸部の場合、例えば、ジャンプショットを打つ、ダンクを試みる、またはブロックショットを試みるなどで個人がジャンプした結果地面から急に上昇する個人１００の胸部の動きが、個人の胸部が上昇する動きを追跡すべきだという判断になり得る（その判断がなされる前、途中、および／または後の個人１００の胸部のモーションを含み得る）。
【０１５１】
次に、ステップ４２６において、追跡すべき動きを認識するのに応じて、センサモジュール１０２は動きのデータを記録し得る。ある実施形態において、対象物１０４の動きは、センサモジュール１０２の加速度センサ１１６によって取り込まれた加速度データに基づいて記録される。別の実施形態において、対象物１０４の動きは、センサモジュール１０２の磁場センサ１１８が取り込んだ磁場データに基づいて記録される。また別の実施形態において、対象物１０４の動きは、加速度データおよび磁場データの両方に基づいて記録される。
【０１５２】
モニタする対象物１０４がサッカーボールの場合、個人１００がボールを素早く蹴った結果としてのサッカーボールの動きを記録し得る。モニタする対象物１０４がバスケットボールをする個人１００の胸部の場合、急に上昇する個人１００の動きを記録し得る。
【０１５３】
次にステップ４２８において、センサモジュール１０２は、記録した動きのデータと運動量との間の相関を求めることができる。ある実施形態において、これは参照用テーブルなどのデータ構造に保存されている相関情報に基づいて求め得る。
【０１５４】
参照用テーブルはデータ構造であって、普通は配列または連想配列であり、しばしば実行時計算をより単純な配列のインデックス動作に置き換えるために用いられる。メモリから値を引き出すのはしばしば比較的処理の重い計算または入力／出力動作を受け付けるよりも速いので、処理時間を著しく短縮することができる。参照用テーブルの数字はあらかじめ計算し、静的なプログラム記憶装置に保存してもよいし、またはプログラム初期化段階の一部として先読みしてもよい。
【０１５５】
相関の性質は、相関を設定するために用いる特定のアプリケーションおよびアルゴリズムに依存し得る。また、運動量の性質も、個人１００が行っている運動、ならびにモニタ中の特定の対象物１０４によって異なり得る。ある実施形態において、運動量は、例えば、飛び出し角度、回転スピード、ボールの軌道、スピード、ジャンプの高さ、ジャンプ力、ジャンプの距離、ジャンプの軌道、蹴る力、蹴る距離、衝突力、特定タイプの運動の動きの特徴、または反応時間の測定などに関連し得る。他の実施形態において、運動量は、例えば、回転スピード、回転面、ジャンプ力、力の特性（運動する人の体または地面または対象物にかかる力）、テニスにおけるストロークの情報、ゴルフ、野球、ホッケーのスティックのスイング特性、脚で蹴る時の特性、自転車のペダルの角度位置、自転車に乗る人の力の出力、疲労（繰り返しのモーション、すなわちランニング、懸垂、水泳、ボートこぎなどで起こり始める震え）姿勢、投げるまたは腕を振る技術、射撃技術などであり得る。
【０１５６】
モニタする対象物１０４がサッカーボールの場合、記録された動きのデータと運動量との間の相関は、サッカーボールの加速度データとサッカーボールの飛び出しスピードのメトリクスとの間の関係を表す関数から得られたデータ構造に保存されている相関データに依存し得る。ある実施形態において、サッカーボールの加速度データとサッカーボールの飛び出しスピードとの間の関係の基礎となる関数は、特定のモデルのサッカーボールに対しての経験的なデータに基づくことがあり得る。
【０１５７】
モニタする対象物１０４がバスケットボールをする個人１００の胸部の場合、記録された動きのデータと運動量との間の相関は、胸部の加速度データと、例えば、ジャンプの高さまたはジャンプ力のメトリクスとの間の関係を表す関数から得られたデータ構造に保存されている相関データに依存し得る。ある実施形態において、胸部の加速度データとジャンプの高さとの間の関係の基礎となる関数は、例えば、個人の体重などのデータに基づくことがあり得る。
【０１５８】
最後に、ステップ４３０において、個人１００、コーチ、チームメイト、観客、または他の任意の関係者に運動量を伝える出力を提供する。このステップは、上述の空間方向処理４００のステップ４１２と同様に実行し得る。
【０１５９】
基本的な空間方向処理４００および基本的な動作相関処理４２０をそれぞれ詳述する図１２および図１３を参照して概説した解析フレームワークは、センサモジュール１０２を用いて個人１００の体１０６または個人１００の１つの運動器具１０８をモニタするために、本発明の実施形態において用い得る。しかしながら、本発明のある実施形態において、これらの基本的な解析フレームワークは、改良された性能を提供し、運動している個人１００に運動を評価するより良い手段を提供できる追加のステップを含んでもよい。
【０１６０】
図１４は、上述した基本的な空間方向処理４００または基本的な動作相関処理４２０を拡張するために用いることができる起動状態処理４４０を示している。起動状態処理４４０は、センサモジュール１０２を複数の状態で動作させることができ、その状態のうちの１つを起動状態とみなしてもよい。ある実施形態において、起動状態は、センサモジュール１０２が起動状態に入る前よりも起動状態である間の方がより電力を消費することを特徴としてもよい。別の実施形態において、起動状態は、センサモジュール１０２が起動状態に入る前よりも起動状態である間の方がより高速に加速度センサ１１６からデータをサンプリングすることを特徴としてもよい。さらに別の実施形態において、起動状態は、センサモジュール１０２が起動状態に入る前にはデータを一時的にしか記録しないのに対し、起動状態ではデータを永久的に保存し続けることを特徴としてもよい。このように、様々な状態を可能にすることで、センサモジュール１０２は、より少ない電池電力で、より低い処理能力で、またはより効率よく作動することができる。
【０１６１】
図１４を参照して、起動状態処理４４０はステップ４４２から始まる。ある実施形態において、起動状態処理４４０のステップは、基本的な空間方向処理４００または基本的な動作相関処理４２０がより効率的なセンサモジュール１０２の機能で実行されるように、これらの処理の直前に実行し得る。
【０１６２】
ステップ４４２において、センサモジュール１０２は、第１の時点で対象物１０４の動きを検出し得る。このステップは、上述の空間方向処理４００のステップ４０２または動作相関処理４２０のステップ４２２と同様に実行し得る。
【０１６３】
モニタする対象物１０４がサッカーボールの場合、検出される動きは個人１００がドリブルした結果として地面を転がるサッカーボールからなり得る。モニタする対象物１０４がバスケットボールをする個人１００の胸部である場合、検出される動きは個人がコートでバスケットボールをドリブルするにつれて前へ移動する個人１００の胸部からなり得る。
【０１６４】
次に、ステップ４４４において、センサモジュール１０２は、対象物１０４の動きが所定の起動の動きに対応すると判断し得る。ある実施形態において、所定の起動の動きは、例えば、ボールが連続で三回はねる、ボールを所定の高さに投げる、ある程度の力でボールを蹴る、個人１００が連続で三回飛び上がったり下りたりするなどの一連の個別の動き、あるいは絶対的な期間または所定の期間にセンサモジュール１０２の加速度が所定の閾値を超え、かつ／または下回る動きを含んでもよい。ある実施形態において、対象物１０４の動きは、センサモジュール１０２の加速度センサ１１６によって取り込まれた加速度データに基づいて検出される。別の実施形態において、対象物１０４の動きは、センサモジュール１０２の磁場センサ１１８によって取り込まれた磁場データに基づいて検出される。また別の実施形態において、対象物１０４の動きは、加速度データおよび磁場データの両方に基づいて検出される。
【０１６５】
対象物の動きが所定の起動の動きに対応すると判断するステップは、所定の起動の動きに関する加速度データを、対象物の動きに対応付けて検出された加速度データと比較することを含み得る。あるいは、対象物の動きが所定の起動の動きに対応すると判断するステップは、所定の起動の動きに関する時間のデータを対象物の動きに対応付けて検出された時間データと比較することを含み得る。
【０１６６】
モニタする対象物１０４がサッカーボールの場合、所定の起動の動きは、例えば、所定の期間静止していた後のサッカーボールの動き、三回跳ねたサッカーボールの動き、ある期間にある高さまで空中に投げ上げたサッカーボールの動き、または他の可能な様々な起動の動きであるかもしれない。モニタする対象物１０４がバスケットボールをする個人１００の胸部の場合、所定の起動の動きは、例えば、個人１００が所定の期間静止していた（例えば、ベンチに座るなど）後の個人１００の胸部の動き、続けて三回飛び上がったり下りたりする個人１００の動き、続けて三回スクワットをする個人１００の動き、または他の可能な様々な起動の動きであるかもしれない。
【０１６７】
ある実施形態において、モニタする対象物１０４のセンサモジュール１０２が、約１Ｇの合成加速度（すなわち合成加速度が１Ｇの閾値許容差の範囲内、例えば、１Ｇの５％以内）を感知するとき、モニタする対象物１０４は静止しているとみなすことができる。ある実施形態において、個人が手にとっている間は、モニタする対象物１０４は静止しているとみなすことができる。例えば、バスケットボール選手がボールを持ってジャンプショットを打つ間は、ボールは静止しているとしてよい（例えば、個人の手からボールを放す前は、ボールは静止しているとみなすことができ、センサモジュール１０２が感知する合成加速度は約１Ｇである）。また、例えば、野球選手がボールを投げる間は、ボールは静止しているとしてよい（例えば、個人が投げるモーションにおいて、後ろへのモーションから前へのモーションへと変遷する間、センサモジュール１０２が感知する合成加速度は約１Ｇである）。
【０１６８】
次に、ステップ４４６において、起動の動きが行われたと判断した後に、センサモジュール１０２は起動状態に入ることができる。先に述べたように、例えば、起動状態は、センサモジュール１０２が起動状態に入る前よりも起動状態に入っている間の方がより電力を消費する、またはより高速にデータをサンプリングすることを特徴としてもよい。
【０１６９】
最後に、ステップ４４８において、基本的な空間方向処理４００のステップ４０２または基本的な動作相関処理４２０のステップ４２２において詳述したように、センサモジュール１０２が起動状態に入ると、再び対象物の動きを検出する。このように、様々な状態を可能にすることで、センサモジュール１０２は、より少ない電池電力で、より低い処理能力で、またはより効率よく作動することができる。
【０１７０】
図１５は、上述した基本的な動作相関処理４２０を拡張するために用いることができる参照モーション処理４５０を図示している。参照モーション処理４５０により、動きのデータを比較することでセンサモジュール１０２が性質が様々な複数の参照モーションから一致する運動モーションを認識することが可能であり得る。このように、動作相関処理４２０の運動モーション認識性能は、運動中に行う様々なタイプのモーションを認識し追跡できるようにすることで拡張し得る。
【０１７１】
図１５を参照して、参照モーション処理４５０はステップ４５２から始まる。ある実施形態において、参照モーション処理４５０のステップは、相関および認識性能を拡張するために、上述の基本的な動作相関処理４２０のステップ４２６、４２８、および４３０の代わりに行っても有効であり得る。
【０１７２】
ステップ４５２において、センサモジュール１０２は（上述した通り、おそらく前のステップで追跡すべき動きを認識したことに応じて）動きのデータを記録し得る。ある実施形態において、対象物１０４の動きは、センサモジュール１０２の加速度センサ１１６が取り込まれた加速度データに基づいて記録される。別の実施形態において、対象物１０４の動きは、センサモジュール１０２の磁場センサ１１８によって取り込まれた磁場データに基づいて記録される。また別の実施形態において、対象物１０４の動きは、加速度データおよび磁場データの両方に基づいて記録される。
【０１７３】
モニタする対象物１０４がサッカーボールの場合、個人１００がボールを素早く蹴った結果としてのサッカーボールの動きを記録し得る。モニタする対象物１０４がバスケットボールをする個人１００の胸部の場合、急に上昇する個人１００の胸部の動きを記録し得る。
【０１７４】
次に、ステップ４５４において、センサモジュール１０２は、複数の参照モーションに関連するデータと動きのデータとを比較することで、複数の参照モーションから一致する運動モーションを認識することができる。ある実施形態において、基本的な動作相関処理４２０のステップ４２８のように、少なくとも部分的には参照用テーブルなどのデータ構造に保存されている相関情報に基づいて認識が行われ得る。
【０１７５】
ステップ４２８に特有だが、一致する運動モーションの認識は、複数の参照モーションを参照して行い得る。言い換えると、ステップ４２８においては、システムは１つのモーション（例えば、ゴールを決めようとしてサッカーボールを蹴ること）に一致するモーションを探すことに限られるものではない。ある実施形態において、システムはモーションの１つの分類（例えば、攻撃的なサッカーのモーション）に一致するモーションを探すことに限られるものではない。他の実施形態において、システムは１つのスポーツ（例えば、サッカーのモーション）のモーションに一致するモーションを探すことに限られるものではない。あるいは、運動がチームスポーツであるとき、一致する運動モーションは、チームスポーツを行っている間に人が共通に行うモーションとしてもよい。
【０１７６】
ある実施形態において、１つ以上の参照モーションは一連の個別の動きを含んでもよい。ある実施形態において、複数の参照モーションに関連するデータは加速度データ、磁場データ、および／または時間データを含んでもよい。もちろん、認識した一致した運動モーションの性質は、一致を見つけるのに用いた特定のアプリケーションおよびアルゴリズムに依存し得る。また、一致した運動モーションの性質は、個人１００が行っている運動、ならびにモニタしている特定の対象物１０４によって異なり得る。バスケットボールに関するある実施形態において、一致した運動モーションは、例えば、パスのモーション、シュートのモーション、ジャンプショットのモーション、ダンクシュートのモーション、ポストアップのモーション、クロスオーバードリブルのモーション、シュートブロックのモーション、スチールのモーション、またはリバウンドのモーションとしてもよい。
【０１７７】
最後に、ステップ４５６において、個人１００、コーチ、チームメイト、観客、または他の任意の関係者にも一致した運動モーションを伝える出力を提供する。このステップは、上述の動作相関処理４２０のステップ４３０と同様に実行することができる。このように、動作相関処理４２０の運動モーション認識性能は、運動中に行う異なるタイプのモーションを認識し追跡できるようにすることで高められ得る。
【０１７８】
図１６は、上述した基本的な空間方向処理４００を拡張するために用いることができる遠隔空間処理過程４６０を図示している。遠隔空間処理過程４６０により、センサモジュール１０２が処理のために空間における方向のデータを遠隔コンピュータへ無線で送信することが可能であり得る。運動モニタシステム１０の他の素子と無線で通信することは、図７を参照しておおむね上述されている。このように、より高い演算性能、およびある実施形態において追加のデータまたは他のリソースへのアクセス権を有するサーバコンピュータなどの遠隔地にあるコンピュータに、ある処理および解析タスクを移すことで、運動モニタシステム１０の空間処理性能または動作相関処理性能は高められ得る。
【０１７９】
図１６を参照して、遠隔空間処理または相関処理４６０はステップ４６２から始まる。ある実施形態において、遠隔空間処理または相関処理４６０のステップは、運動量を測定することを離れて行うことができるよう、上述したように、基本的な空間方向処理４００のステップ４１０、または基本的な動作相関処理４２０のステップ４２６の代わりに行っても有効であり得る。
【０１８０】
ステップ４６２において、対象物１０４の空間における方向の変化を測定する、または動きのデータを記録し得る。ある実施形態において、ステップ４６２で対象物１０４の空間における方向の変化を測定すること、または動きのデータを記録することは、上述した基本的な空間方向処理４００のステップ４０８で対象物１０４の空間における方向の変化を測定すること、または基本的な動作相関処理４２０のステップ４２６で動きのデータを記録することと同様に行い得る。
【０１８１】
次に、ステップ４６４において、センサモジュール１０２は、空間における方向の変化または動きに関するデータを無線で運動中のユーザから遠隔地に置かれているコンピュータに送信し得る。例えば、遠隔地にあるコンピュータはサーバ２０２としてもよい。ある実施形態において、空間における方向の変化または動きに関するデータは、運動中に遠隔コンピュータに送信し得る。別の実施形態において、空間における方向の変化または動きに関するデータは、運動終了後に遠隔コンピュータに送信し得る。
【０１８２】
次に、ステップ４６６において、センサモジュール１０２は、送信された空間における方向の変化または動きに関するデータに基づく運動量のデータを遠隔コンピュータから無線で受信し得る。したがって、例えば、基本的な空間方向処理４００のステップ４１０で概説したような運動量を測定すること、例えば、おそらく参照用テーブルを参照して、基本的な動作相関処理４２０のステップ４２８で概説したような相関のデータに基づいて運動量を測定することは、遠隔コンピュータによって処理し得る。ある実施形態において、運動量のデータは、運動中に遠隔コンピュータから受信し得る。別の実施形態において、運動量のデータは、運動終了後に遠隔コンピュータから受信し得る。
【０１８３】
加えて、ある実施形態において、遠隔コンピュータがより高い処理性能およびリソースを有するので、遠隔コンピュータはセンサモジュール１０２に追加の情報を提供することが可能であり得る。ある実施形態において、センサモジュール１０２は、遠隔コンピュータから運動量のデータに加えてトレーニングの提案のデータを受信し得る。別の実施形態において、センサモジュール１０２は、遠隔コンピュータから運動量のデータに加えてやる気を起こさせる内容のデータを受信し得る。
【０１８４】
ある実施形態において、遠隔コンピュータから受信した運動量のデータは、ユーザの現在の運動に関するデータとユーザの以前の運動に関するデータとの比較を含んでもよい。別の実施形態において、遠隔コンピュータから受信した運動量のデータは、ユーザの現在の運動に関するデータと別の個人の運動に関するデータとの比較を含んでもよい。
【０１８５】
最後に、ステップ４６８において、個人１００、コーチ、チームメイト、観客、または他の任意の関係者にも運動量を伝える出力を提供する。このステップは、上述の空間方向処理４００のステップ４１２、または動作相関処理４２０のステップ４３０と同様に実行し得る。このように、より高い演算性能、およびある実施形態において追加のデータまたは他のリソースへのアクセス権を有するサーバコンピュータなどの遠隔地にあるコンピュータに、ある処理および解析タスクを移すことで運動モニタシステム１０の空間処理性能または動きを測定する性能は高められ得る。
【０１８６】
図１７は、上述した基本的な空間方向処理４００または基本的な動作相関処理４２０を拡張するために用いることができる位置処理４８０を図示している。位置処理４８０により、一連の運動中にモニタ中の様々な運動モーションが行われた正確な地理的位置を個人が測定することが可能になり得る。このように、位置処理４８０は、個人、コーチ、チームメイト、観客、または他の任意の関係者にも、動きに基づいた運動量の情報自体に関連する追加の情報を提供し得る。
【０１８７】
図１７を参照して、位置処理４８０はステップ４８２から始まる。ある実施形態において、位置処理４８０のステップは、基本的な空間方向処理４００または基本的な動作相関処理４２０のステップの後、またはこれらの処理の出力ステップ直前に行い得る。
【０１８８】
ステップ４８２において、運動量は、空間方向処理４００のステップ４１０で述べたような対象物１０４の空間における方向の変化に基づいて、または動作相関処理４２０のステップ４２８で述べた相関に基づいて求め得る。運動量の性質は、個人１００が行っている運動、ならびにモニタしている特定の対象物１０４によって異なり得る。ある実施形態において、運動量は、例えば、飛び出し角度、回転スピード、スピード、ジャンプの高さ、ジャンプ力、運動の動きの特定タイプの特徴、または反応時間の測定などに関連し得る。
【０１８９】
次に、ステップ４８４において、運動中の対象物１０４の位置を求め得る。ある実施形態において、運動中の対象物１０４の位置は、ＧＰＳ受信機、ガリレオ受信機、北斗受信機、またはＧＬＯＮＡＳＳ受信機などの衛星位置システムの受信機を用いて求められる。別の実施形態において、運動中の対象物１０４の位置は、ビーコン信号または電波信号三角測量を用いて求められる。
【０１９０】
個人１００の身体活動がある特定の経路を通ることを含む（例えば、レースで走るまたは自転車に乗る）実施形態において、センサモジュール１０２は、通った経路に沿って個人１００の地理的な中間地点を記録することが可能であり得る。
【０１９１】
最後に、ステップ４８６において、求められた運動量を運動量に関連する位置と相関させ得る。したがって、例えば、センサモジュール１０２は、個人１００がどこでそれぞれのサッカーのシュートまたはバスケットボールのシュートを打ったのかを記録することが可能であり得る。
【０１９２】
上述したセンサモジュール１０２を含む運動モニタシステム１０を用いることで、本発明の実施形態により、個人１００（またはコーチ、チームメイト、観客）が、一連の運動中または運動後に個人１００の体１０６のモーションまたは個人１００の１つの運動器具１０８のモーションについてのこの、または他の情報を有利に取得することが可能であり得る。
【０１９３】
サッカー（すなわちフットボール）およびバスケットボールというスポーツの文脈で本発明の様々な実施形態を説明しているが、本発明はそのように限定されるものではなく、例えば、野球、ボウリング、ボクシング、クリケット、自転車競技、フットボール（すなわち、アメリカンフットボール）、ゴルフ、ホッケー、ラクロス、ボート、ラグビー、ランニング、スケートボード、スキー、サーフィン、水泳、卓球、テニス、バレーボール、またはそれら運動に関するトレーニングなどを含む様々な異なるスポーツまたは運動に適用してもよい。
【０１９４】
野球において、上述したようなセンサモジュール１０２の実施形態により、個人１００、コーチ、チームメイト、または観客が、例えば、ピッチャーの投球、バッターのスイング、または投球後もしくは打つ前のボールの動きの特徴を測定することが可能であり得る。例えば、センサモジュール１０２を用いて、投球の種類（速球、カーブボール、スライダー、チェンジアップなど）、球速、投球の軌道、または全投球数を測定することができるであろう。センサモジュール１０２はまた、スイングの種類（例えば、通常のスイング、バント、ボールを打ったスイング、空振りしたスイングなど）、スイングスピード、スイング数、打球の種類（ゴロ、ライナー、フライ、ホームランなど）、打球の軌道、または打球の飛距離などを測定するためにも用いることができるであろう。ある実施形態において、センサモジュール１０２は、例えば、ピッチャーの胴、腕、手または指、バッターの胴、腕、手、または指、あるいはボールの中、あるいはバットの表面またはバットの中に装着してもよい。
【０１９５】
ボウリングにおいて、上述したようなセンサモジュール１０２の実施形態により、個人１００、コーチ、チームメイト、または観客が、例えば、ボウリングをする人の投球またはボールの軌道の特徴を測定することが可能であり得る。例えば、センサモジュール１０２を用いて、回転に適用したスピンの種類、回転スピード、全回転数、衝突の瞬間にピンにかかった力、またはレーン上の滑らかな点のくぼみの位置もしくは発生を測定することができるであろう。またセンサモジュール１０２を用いて、投球後のボールの軌道を測定することもできるであろう。ある実施形態において、センサモジュール１０２は、例えば、ボウリングをする人の胴、腕、手、または指、あるいはボールの表面または中に装着してもよい。
【０１９６】
ボクシングにおいて、上述したようなセンサモジュール１０２の実施形態により、個人１００、コーチ、チームメイト、または観客が、例えば、ボクサーの攻撃的または守備的な動きの特徴を測定することが可能であり得る。例えば、センサモジュール１０２を用いて、ボクサーが放ったパンチの種類（ジャブ、フック、アッパーカットなど）、ボクサーの左手もしくは右手のどちらが使われたのか、パンチのスピード、パンチがあたったかどうか、および／または全パンチ数を測定することができるであろう。またセンサモジュール１０２を用いて、ボクサーが左、右、もしくは下のどこに動いたのか、パンチを防いだのか、ノックダウンされたのか、またはパンチを何回受けたのかを測定することもできるであろう。ある実施形態において、センサモジュール１０２は、例えば、ボクサーの胴、腕、手、または指、あるいはボクシンググローブの表面または中に装着してもよい。
【０１９７】
自転車競技において、上述したようなセンサモジュール１０２の実施形態により、個人１００、コーチ、チームメイト、または観客が、例えば、自転車に乗る人または自転車のモーションの特徴を測定することが可能であり得る。例えば、センサモジュール１０２を用いて、自転車のスピード、曲がり角の性質、経路途中の高度変化の性質、または滞空時間、トリックの種類、もしくはトリックが成功したかどうかなどのジャンプの特徴を測定することができるであろう。ある実施形態において、センサモジュール１０２は、例えば、自転車に乗る人の胴、腕、手、脚、脚、または頭、あるいは例えば、ハンドル、フレームまたはペダルなどの自転車のある位置の表面または中に装着してもよい。
【０１９８】
フットボール（すなわち、アメリカンフットボール）において、上述したようなセンサモジュール１０２の実施形態により、個人１００、コーチ、チームメイト、または観客が、例えば、オフェンスチーム、ディフェンスチーム、またはスペシャルチームの選手の動き、またはボール自体の動きの特徴を測定することが可能であり得る。例えば、センサモジュール１０２を用いて、ラン、パス、キック、またはタックルの種類、ラン、パス、キックまたはタックルの回数、ラン、パス、キックまたはタックルの力、ランニングバックの動きの種類（例えば、回転動作、腕を伸ばしてタックルを防ぐ、飛び越す、飛び込む、全速力で走るなど）、あるいはパスまたはキックの距離、ハングタイム、または回転の特徴を測定することができるであろう。ある実施形態において、センサモジュール１０２は、例えば、選手の胴、腕、または脚、あるいはボールの表面または中に装着してもよい。
【０１９９】
ゴルフにおいて、上述したようなセンサモジュール１０２の実施形態により、個人１００、コーチ、チームメイト、または観客が、例えば、ゴルファーのスイングまたは打球のモーションの特徴を測定することが可能であり得る。例えば、センサモジュール１０２を用いて、スイングの種類（ティーショット、フェアウェイショット、アプローチショット、パット）、スイングのスピード、スイングの質、またはスイング数を測定することができるし、またゴルファーにスイングまたは試合運びをどのように改善するか指導することができる。センサモジュール１０２はまた、ボールの軌道（まっすぐ、右に曲がる、左に曲がる、低い、高い、左にはずれる、右にはずれる）、またはショットの距離を測定することもできるであろう。ある実施形態において、センサモジュール１０２は、例えば、ゴルファーの胴、腕、手、脚、足、または頭、あるいはボールの表面または中、あるいはクラブの表面あるいは中に装着してもよい。
【０２００】
ホッケーにおいて、上述したようなセンサモジュール１０２の実施形態により、個人１００、コーチ、チームメイト、または観客が、例えば、選手のシュートまたはパスの特徴、あるいは打った後のパックのモーションを測定することが可能であり得る。例えば、センサモジュール１０２を用いて、シュートの種類（例えば、スラップショット、バックハンドショット）、シュートのスピード、シュートの質、またはシュートもしくはパスの数を測定することができるであろう。またセンサモジュール１０２を用いて、ゴールに向かうパックの軌道（まっすぐ、左、右、低い、高い）を測定することもできるであろう。ある実施形態において、センサモジュール１０２は、例えば、ホッケー選手の胴、腕、手、脚、足、または頭、あるいはパックの表面または中、あるいはスティックの表面または中に装着してもよい。
【０２０１】
ランニングにおいて、上述したようなセンサモジュール１０２の実施形態により、個人１００、コーチ、チームメイト、または観客が、例えば、ランナーのモーションの特徴を測定することが可能であり得る。例えば、センサモジュール１０２を用いて、スピード、ペース、走った距離、走った位置を求め、または異なる表面（例えば、芝生、道路、登山道）と勾配（例えば、登り勾配、平坦、下り勾配）を識別することができるであろう。ある実施形態において、センサモジュール１０２は、例えば、ランナーの胴、腕、手、脚、足、または頭、あるいは靴の表面または中に装着してもよい。
【０２０２】
スキーにおいて、上述したようなセンサモジュール１０２の実施形態により、個人１００、コーチ、チームメイト、または観客が、例えば、競技コースの統計またはあるトリックが成功したときの情報を測定することが可能であり得る。例えば、センサモジュール１０２を用いて、競技コースにおいてスキーヤーが通過するのに成功した旗門の数、スキーヤーのスピード、またはターンの角度を測定することができるであろう。またセンサモジュール１０２を用いて、ジャンプ、フリップ、ローテーションなどの技、または技を出す動きの程度（例えば、ジャンプの高さ、回転の角度、滞空時間、トリックの種類など）を測定することもできるであろう。ある実施形態において、センサモジュール１０２は、取り外し可能または不可能な様式で、スキー板の表面もしくは裏面に装着する、スキー板内部に含む、またはスキー板内部の空間に設置する、あるいはスキーヤーのブーツ、体、または他の衣服の内側もしくは外側に装着してもよい。他の実施形態において、センサモジュール１０２は、スノーボードまたは類似のウインタースポーツの器具を含む、他の類似のウインタースポーツにも同様に用いることができるであろう。
【０２０３】
テニスにおいて、上述したようなセンサモジュール１０２の実施形態により、個人１００、コーチ、チームメイト、または観客が、例えば、選手のスイングまたは打球のモーションの特徴を測定することが可能であり得る。例えば、センサモジュール１０２を用いて、スイングの種類（フォアハンド、バックハンド、サーブ、リターン、ロブ）、スイングのスピード、スイングの質、またはスイング数を測定することができるであろう。またセンサモジュール１０２を用いて、ボールのモーション（ストレート、トップスピン、バックスピン、レフトスピン、ライトスピン）またはショットの距離を測定することもできるであろう。ある実施形態において、センサモジュール１０２は、例えば、選手の胴、腕、手、脚、足、または頭、あるいはテニスボールの表面、あるいはラケットの表面に装着してもよい。
【０２０４】
スケートボードにおいて、上述したようなセンサモジュール１０２の実施形態により、個人１００、コーチ、チームメイト、または観客が、例えば、オーリー、エアリアル、フリップトリック（例えば、キックスリップ）、スライド、またはグラインドなどのトリックをいつ成功させたか、あるいはトリックをする動きの度合い（例えば、ジャンプの高さ、回転スピード、スライド時間の長さなど）を測定することが可能であり得る。ある実施形態において、センサモジュール１０２は、スケートボードの下側、スケートボードの輪軸とスケートボード自体との間の空間（すなわち、トラック）に装着してもよい。他の実施形態において、センサモジュール１０２は、取り外し可能または不可能な様式で、ボードの表面または裏面に連結する、ボード内部に含む、あるいは輪軸（すなわちトラック）に連結してもよい。
【０２０５】
サーフィンにおいて、上述したようなセンサモジュール１０２の実施形態により、個人１００、コーチ、チームメイト、または観客が、例えば、波に乗る、ターンする、あるいはカットバック、カーヴィング、フローティング、またはチューブライディングなどの技をいつ成功させたかを測定することが可能であり得る。ある実施形態において、センサモジュール１０２は、取り外し可能または不可能な様式で、サーフボードの表面または裏面に装着する、サーフボードの内部に含む、あるいはサーフボード内部の空間に設置してもよい。
【０２０６】
本発明の別の実施形態において、上述したようなセンサモジュール１０２の実施形態により、個人１００、コーチ、チームメイト、または観客が、個人１００の体力トレーニングおよび柔軟性トレーニングの動きまたは練習を解析することが可能であり得る。例えば、ある実施形態において、体力トレーニングおよび柔軟性トレーニング中の個人１００または個人１００が用いている１つの運動器具１０８は、例えば、シットアップ、プッシュアップ、ランジ、ジャンピングジャック、プルアップ、スクワット、ディップ、および／またはカーフレイズなどを追跡できるセンサモジュール１０２を携帯してもよい。センサモジュール１０２は、これらの動きが正しく行われているかどうか、および／またはそれぞれの動きが何回繰り返されたかを測定するのに用いることが可能であり得る。
【０２０７】
本発明のある実施形態において、センサモジュール１０２内部に含まれる、またはセンサモジュール１０２と通信する様々な種類のセンサに存在し得る固有の欠陥を補償することが可能であり得る。現実のセンサにはたいてい限界がある。例えば、加速度計、磁力計、およびジャイロスコープは、特に最初の較正条件と異なる対象物１０４のモーションのスピードまたは他の条件下で用いると、精度に問題が出る場合があり得る。
【０２０８】
あるシステムにおいて、加速度センサ１１６または磁場センサ１１８のデータなどのセンサのデータが一時的に失われるかまたは利用できない場合、利用できないセンサのデータは、次の処理または計算に用いられない。他のシステムにおいて、例えば、データが一定のままである、または一定の割合で変化すると考えられると、失われたデータは「直線」法によって推定することができる。しかしながら、本発明のある実施形態において、例えば、加速度センサ１１６または磁場センサ１１８のデータのうちの１つであるセンサデータを用いて、二種類のデータの間の既知の相関、得られた相関、または推定された相関、あるいはデータの外挿に基づいて、加速度センサ１１６または磁場センサ１１８のデータのうちの他方を補償し、かつ／または推定し得る。
【０２０９】
例えば、加速度センサ１１６および磁場センサ１１８によって生成されたデータを組み合わせることで、本発明の実施形態によるシステムおよび方法は、加速度センサ１１６または磁場センサ１１８のうちの１つのデータが何らかの理由で失われたときでも、データの絶対値または運動量をより正確に測定することができる。失われていないデータを用いて、失われたデータが回復するかそれとももう一度サンプリングされるまで「穴」を埋めるために、システムはデータの値または運動量を提供し続けることができる。
【０２１０】
本発明の他の実施形態において、ジャイロスコープのデータなどの角運動量センサ１２４のデータは、データ較正および／または外挿のために加速度センサ１１６のデータまたは磁場センサ１１８のデータのうち１つ以上と組み合わせて用い得る。
【０２１１】
本発明のある実施形態において、加速度センサ１１６または磁場センサ１１８をベースにしたセンサモジュール１０２の補正係数データの較正および／または生成は、様々な異なる使用条件下で行われ得る。例えば、較正データまたは補正係数は、異なる動きのスピードでの使用、個人１００の体１０６での使用、１つの運動器具１０８での使用、異なるスポーツでの使用、異なる風の条件下での使用、異なるコートまたはフィールド条件下での使用などに合わせて生成し得る。さらに、この様々な補正係数および／または較正データは、個人１００がシステムを用い続けるにつれ、バックグラウンドで経時的に蓄積し得る。このように、適切な補正係数を、個人１００または運動器具１０８のスピードの最大範囲、および／または他の使用条件に合わせて生成および適用できるように、「参照用テーブル」または他の「領域」、あるいは較正データのライブラリまたは補正係数がモニタシステム（場合によってはシステムの携帯可能な部分）に蓄積され保存され得る。
【０２１２】
システム（場合によってはシステムの携帯可能な部分、パーソナルコンピュータなど）に提供されるマイクロプロセッサは、どのスピードまたは他の使用条件下において、最適な較正または補正係数に到達するために、既知の較正と補正係数との間に内挿し、かつ／または既知の較正もしくは補正係数を外挿するようにプログラムしてもよい。また、このように、スピードおよび距離モニタ全体の精度をさらに改善するのに役立つように、単一の運動パフォーマンス中の異なる時間に、例えば、そのパフォーマンス中の所与の時間に求めたスピードまたは他の使用条件に基づいて、異なる較正または補正係数を適用し得る。異なる運動条件下で利用可能な様々な補正または較正係数を有することによって、使用回数が増えるにつれて生成される較正および補正係数の数が増加するので、特に経時的に、かつ使用回数が増えるにつれ、センサモジュール１０２はより正確になっていくであろう。
【０２１３】
本発明のある実施形態において、センサモジュール１０２は地球の磁場などの局所的な磁場の乱れに影響され得る。例えば、強磁性の構造を持つ物体が乱れの原因となることがある。ある実施形態において、局所的な磁場は、地表から離れた他の距離よりも地表に近いある距離においてより変化し得る。例えば、局所的な磁場は地表から約６フィート以上離れるよりも、地表から約６フィート以内においてより変化しやすく、またはより乱れ得る。したがって、ある実施形態において、対象物１０４が地表から約６フィート以内にあったときに対象物１０４から取得された磁場センサ１１８のデータが、もしも地球の磁場など地表近くの局所的な磁場の比較的高い多様性のせいで信頼できないと考えられるならば、対象物１０４が地表から約６フィート以上離れているときに対象物１０４から得た磁場センサ１１８のデータを用いて、対象物１０４が地表から約６フィート以内にあったときに対象物１０４から得られたデータから適切なまたは確からしい磁場センサ１１８のデータを外挿するかそれとも推定してもよい。
【０２１４】
ある実施形態において、磁場センサ１１８が乱れた磁場の影響を著しく受けている第１の時点で、対象物１０４の動きについてのデータを磁場センサ１１８が取得し得る。次いで磁場センサ１１８が乱れた磁場の影響をあまり受けていない第２の時点で、対象物１０４の動きについてのデータを取得し得る。これらのデータが取り込まれた後、センサモジュール１０２は、対象物１０４の動きについての第１の時点でのデータは許容できないと判断し、対象物の動きについての第２の時点でのデータに基づいて対象物１０４の動きについての第１の時点でのデータを推定することができる。
【０２１５】
上述した本発明の様々な実施形態において、個人１００（またはコーチ、チームメイト、もしくは観客などの他の関係者）は、一連の運動中に個人１００の体１０６のモーション、または個人１００の１つの運動器具１０８のモーションについての情報を取得し得る。いったん運動量または特定の運動の動きがモニタシステム１０によって認識されると、運動量または特定の運動の動きが完全に最適／正確でなかったら、今後運動量または特定の運動の動きを改善するためにユーザをトレーニングする、または指導するために、システム１０をさらに利用してもよい。どの運動量または特定の運動の動きの特徴が最適／正確であるかを判断することは、所定の値、アルゴリズム、またはデータベース、参照用テーブル、もしくは類似のものに保存されている他のデータに基づいて、システム１０によって自動で行われてもよいし、あるいはその判断は、運動量の値もしくは特定の運動の動きのデータにアクセスすることで生身のトレーナー、コーチ、個人１００自身、もしくは他の関係者によって行われてもよい。
【０２１６】
例えば、モニタする対象物１０４がサッカーボールであり、キックの結果としてのボールの空間における方向の変化を用いて、例えば、ボールの飛び出し角度、ボールの回転スピード、飛び出しスピード、予想スピードまたは同様のメトリクスを測定する実施形態において、システム１０がこれらを測定することで、個人１００が今後のキックにおいて飛び出し角度、回転スピード、または飛び出しスピードを改善するのに役立つようにしてもよい。改善を達成するために用いる方法は、例えば、いくつかのスポーツを組み合わせたトレーニングまたは練習の個人への提供、サッカー特有のトレーニングまたは練習の個人への提供、あるいはいくつかの他のトレーニング養生法の処方としてもよい。
【０２１７】
さらなる例として、モニタする対象物１０４がバスケットボールをする個人１００の胸部であり、ジャンプショットを打つ間の個人１００の胸部の空間における方向の変化を用いて、ジャンプの高さまたはジャンプ力を測定する実施形態において、システム１０がこれらを測定することで、個人１００がジャンプショットおよび／またはジャンプの高さ／力を改善するのに役立つようにしてもよい。改善を達成するために用いる方法は、例えば、いくつかのスポーツを組み合わせたトレーニングまたは練習の個人への提供、バスケットボール特有のトレーニングまたは練習の個人への提供、あるいはいくつかの他のトレーニング養生法の処方としてもよい。
【０２１８】
本発明のある実施形態において、モニタシステム１０は双方向の小売りシステムを含み、または連携してもよい。双方向の小売りシステムは、例えば、個人１００の携帯電子装置２０６のスクリーンを介して個人１００に提示され得る。双方向の小売りシステムは、システムの提供者によって勧められた製品を選び、かつ／または注文するためのプラットフォームを提供し得る。上述したように、モニタシステム１０によって提供された運動量または特定の運動の動きに基づき、かつ／または提供されたどのトレーニングまたは指導に基づいて、双方向の小売りシステムは、個人１００が今後のパフォーマンスを改善するのに役立つかもしれない特定の製品または製品群を提案することが可能であり得る。ある実施形態において、モニタシステム１０によって保存された個人についての個人情報は、適切な製品または製品群を判断するのに用いてもよい。
【０２１９】
例えば、シュートを改善しようとしているサッカー選手は新しいサッカーシューズのおすすめを受け得るし、ジャンプの能力を改善しようとしているバスケットボール選手は新しいバスケットボールシューズのおすすめを受け得る。結局のところ、これらのおすすめは、個人１００の体１０６、および／または個人１００の運動器具１０８をモニタすることで得られたデータに基づいている場合があり得る。例えば、不十分なパフォーマンスの原因は個人１００のパフォーマンスのせいであるという場合もあり得るし、または個人１００の今の器具１０８が使い古されているという場合もあり得る。ある実施形態において、提供されるトレーニングまたは指導を受ける際、個人１００は新しい製品を購入するオプションを提供され得る。
【０２２０】
ある実施形態において、運動量もしくは特定の運動の動きデータ、および／または提供されるトレーニングもしくは指導は、ある製品のオンラインでの受注生産のために用い得る。例えば、このデータを用いて、履物、加圧服、ヘルメット、または他の衣服、あるいはつま先カバーまたは他の器具が個人１００の将来のパフォーマンスを改善するのに役立つようにする運動器具をカスタマイズすることができる。ある実施形態において、カスタマイズした製品は、個人１００が選ぶことのできる個性的なスタイル、様々な素材、または異なる付属品を有してもよい。
【０２２１】
ある実施形態において、運動量があるレベルに達した、もしくは特定の運動の動きに熟達したといった画期的なパフォーマンスまたは改善を達成した後にのみ個人１００が購入することができるように、ある製品または製品群を「解除」してもよい。
【０２２２】
本発明は、例示的な実施形態によって上述してきた。したがって、本発明は上述のどの例示的な実施形態にも限定するものではなく、以下の特許請求の範囲およびその均等物によってのみ限定される。
本発明は例えば以下の態様の発明を含む。
［１］
ユーザの運動中に、対象物に物理的に接続されているセンサモジュールを用いて運動をモニタする方法であって、該運動をモニタする方法は、
前記センサモジュールが第１の時点で前記対象物の動きを検出するステップと、
前記対象物の動きが所定の起動の動きに対応することを前記センサモジュールが判断するステップと、
前記対象物の動きが所定の起動の動きに対応するという判断に応じて前記センサモジュールが起動状態に入るステップと、
前記センサモジュールが起動状態に入ると第２の時点で前記対象物の動きを検出するステップと
を含む方法。
［２］
前記対象物の空間における最初の方向を測定するステップと、
前記対象物の空間における方向の変化を測定するステップと、
前記空間における方向の変化に基づいて運動量を測定するステップと、
前記運動量を伝える出力をユーザに提供するステップと
をさらに含む［１］に記載の方法。
［３］
動きのデータを記録するステップと、
データ構造を参照して動きのデータと運動量との間の相関を求めるステップと、
前記運動量を伝える出力をユーザに提供するステップと
をさらに含む［１］に記載の方法。
［４］
前記対象物がユーザの体である［１］に記載の方法。
［５］
前記対象物が運動中にユーザが用いる１つの運動器具である［１］に記載の方法。
［６］
前記対象物の動きを検出するステップは、加速度計のデータに基づいて前記対象物の動きを検出することを含む［１］に記載の方法。
［７］
前記対象物の動きを検出するステップは、磁力計のデータに基づいて前記対象物の動きを検出することを含む［１］に記載の方法。
［８］
所定の期間にデータ値が閾値に達すると、前記対象物の動きが所定の起動の動きに対応すると判断する［１］に記載の方法。
［９］
前記対象物の空間における最初の方向を測定するステップが、重力ベクトルに対する前記対象物の方向を測定することを含む［２］に記載の方法。
［１０］
前記対象物の空間における最初の方向を測定するステップが、地球の磁場ベクトルに対する前記対象物の方向を測定することを含む［２］に記載の方法。
［１１］
前記運動量は、前記対象物が移動した距離、前記対象物のスピード、または前記対象物の加速度からなる群から選ばれる情報を伝達する［２］に記載の方法。
［１２］
前記運動量が、一連の運動中に人が共通に行う特定の種類の動きとしての前記対象物の動きを特徴付ける［２］に記載の方法。
［１３］
前記動きのデータを記録するステップが、加速度データを記録することを含む［３］に記載の方法。
［１４］
前記動きのデータを記録するステップが、磁場データを記録することを含む［３］に記載の方法。
［１５］
前記データ構造が参照用テーブルである［３］に記載の方法。
［１６］
前記運動量は、前記対象物が移動した距離、前記対象物のスピード、または前記対象物の加速度からなる群から選ばれる［３］に記載の方法。
［１７］
前記運動量が、一連の運動中に人が共通に行う特定の種類の動きとしての前記対象物の動きを特徴付ける［３］に記載の方法。
［１８］
前記所定の起動の動きが一連の個別の動きを含む［１］に記載の方法。
［１９］
前記対象物の動きが所定の起動の動きに対応することを判断するステップが、前記所定の起動の動きに関連する加速度データと前記対象物の動きに対応付けて検出された加速度データとを比較することを含む［１］に記載の方法。
［２０］
前記対象物の動きが所定の起動の動きに対応することを判断するステップが、前記所定の起動の動きに関連する時間データと前記対象物の動きに対応付けて検出された時間データとを比較することを含む［１］に記載の方法。
［２１］
前記起動状態は、センサモジュールが起動状態の前よりも起動状態の間の方がより電力を消費することを特徴とする［１］に記載の方法。
［２２］
前記起動状態は、センサモジュールが起動状態の前よりも起動状態の間の方がより高速に加速度計からデータをサンプリングすることを特徴とする［１］に記載の方法。
［２３］
ユーザの運動中に、対象物に物理的に接続されているセンサモジュールを用いて運動をモニタする方法であって、該運動をモニタする方法は、
前記対象物の動きを検出するステップと、
動きのデータを記録するステップと、
動きのデータを複数の参照用のモーションに関するデータと比較することで、複数の参照用のモーションから一致する運動モーションを認識するステップと、
一致した運動モーションが何であるかをユーザに伝える出力を提供するステップと
を含む方法。
［２４］
前記対象物がユーザの体である［２３］に記載の方法。
［２５］
前記対象物が運動中にユーザが用いる１つの運動器具である［２３］に記載の方法。
［２６］
前記対象物の動きを検出するステップは、加速度計のデータに基づいて前記対象物の動きを検出することを含む［２３］に記載の方法。
［２７］
前記対象物の動きを検出するステップは、磁力計のデータに基づいて前記対象物の動きを検出することを含む［２３］に記載の方法。
［２８］
前記一致する運動モーションは、一連の個別の動きを含む［２３］に記載の方法。
［２９］
前記複数の参照用のモーションに関するデータは、加速度データ、磁場データ、または時間データからなる群から選ばれる［２３］に記載の方法。
［３０］
前記運動はチームスポーツであり、前記一致する運動モーションがチームスポーツを行っている間に人が共通に行うモーションである［２３］に記載の方法。
［３１］
ユーザの運動中に、対象物に物理的に接続されているセンサモジュールを用いて運動をモニタする方法であって、該運動をモニタする方法は、
前記対象物の動きを検出するステップと、
前記対象物の空間における最初の方向を測定することと、
前記対象物の空間における方向の変化を測定することと、
前記空間における方向の変化に関するデータを運動中のユーザから遠隔地にあるコンピュータに無線で送信するステップと、
前記空間における方向の変化に関して送信されたデータに基づいている運動量のデータを前記遠隔コンピュータから無線で受信するステップと、
前記ユーザに前記運動量のデータを伝える出力を提供するステップと
を含む方法。
［３２］
前記対象物がユーザの体である［３１］に記載の方法。
［３３］
前記対象物が運動中にユーザが用いる１つの運動器具である［３１］に記載の方法。
［３４］
前記対象物の動きを検出するステップは、加速度計のデータに基づいて対象物の動きを検出することを含む［３１］に記載の方法。
［３５］
前記対象物の動きを検出するステップは、磁力計のデータに基づいて対象物の動きを検出することを含む［３１］に記載の方法。
［３６］
前記対象物の空間における最初の方向を測定するステップは、重力ベクトルに対する前記対象物の方向を測定することを含む［３１］に記載の方法。
［３７］
前記対象物の空間における最初の方向を測定するステップは、地球の磁場ベクトルに対する対象物の方向を測定することを含む［３１］に記載の方法。
［３８］
前記運動量は、前記対象物が移動した距離、前記対象物のスピード、または前記対象物の加速度からなる群から選ばれる［３１］に記載の方法。
［３９］
前記運動量は、一連の運動中に人が共通に行う特定の種類の動きとしての対象物の動きを特徴付ける［３１］に記載の方法。
［４０］
前記空間における方向の変化に関するデータは、運動中に前記遠隔コンピュータに送信される［３１］に記載の方法。
［４１］
前記空間における方向の変化に関するデータは、運動終了後に前記遠隔コンピュータに送信される［３１］に記載の方法。
［４２］
運動中に前記運動量のデータを前記遠隔コンピュータから受信する［３１］に記載の方法。
［４３］
運動終了後に前記運動量のデータを前記遠隔コンピュータから受信する［３１］に記載の方法。
［４４］
前記運動量のデータに加えてトレーニングの提案のデータを前記遠隔コンピュータから無線で受信することをさらに含む［３１］に記載の方法。
［４５］
前記運動量のデータに加えてやる気を起こさせる内容のデータを前記遠隔コンピュータから無線で受信することをさらに含む［３１］に記載の方法。
［４６］
前記運動量のデータが、ユーザの現在の運動に関するデータと、ユーザの以前の運動に関するデータとの間の比較を含む［３１］に記載の方法。
［４７］
前記運動量のデータが、ユーザの現在の運動に関するデータと、別の個人の運動に関するデータとの間の比較を含む［３１］に記載の方法。
［４８］
ユーザの運動中に、対象物に物理的に接続されているセンサモジュールを用いて運動をモニタする方法であって、該運動をモニタする方法が、
前記対象物の動きを検出するステップと、
動きのデータを記録するステップと、
動きのデータを運動中のユーザから遠隔地にあるコンピュータに無線で送信するステップと、
前記送信された運動量のデータと運動量との間の相関に基づいている運動量のデータを前記遠隔コンピュータから無線で受信するステップと、
前記運動量を伝える出力をユーザに提供するステップと
を含む方法。
［４９］
前記対象物がユーザの体である［４８］に記載の方法。
［５０］
前記対象物が運動中にユーザが用いる１つの運動器具である［４８］に記載の方法。
［５１］
前記対象物の動きを検出するステップは、加速度計のデータに基づいて対象物の動きを検出することを含む［４８］に記載の方法。
［５２］
前記対象物の動きを検出するステップは、磁力計のデータに基づいて対象物の動きを検出することを含む［４８］に記載の方法。
［５３］
前記送信された運動量のデータと運動量との間の相関が参照用テーブルによって提供される［４８］に記載の方法。
［５４］
前記動きのデータは、運動中に前記遠隔コンピュータに送信される［４８］に記載の方法。
［５５］
前記動きのデータは、運動終了後に前記遠隔コンピュータに送信される［４８］に記載の方法。
［５６］
運動中に前記運動量のデータを前記遠隔コンピュータから受信する［４８］に記載の方法。
［５７］
運動終了後に前記運動量のデータを前記遠隔コンピュータから受信する［４８］に記載の方法。
［５８］
前記運動量のデータに加えてトレーニングの提案のデータを前記遠隔コンピュータから無線で受信することをさらに含む［４８］に記載の方法。
［５９］
前記運動量のデータに加えてやる気を起こさせる内容のデータを前記遠隔コンピュータから無線で受信することをさらに含む［４８］に記載の方法。
［６０］
前記運動量のデータは、ユーザの現在の運動に関するデータと、ユーザの以前の運動に関するデータとの間の比較を含む［４８］に記載の方法。
［６１］
前記運動量のデータは、ユーザの現在の運動に関するデータと、別の個人の運動に関するデータとの間の比較を含む［４８］に記載の方法。
［６２］
ユーザの運動中に、対象物に物理的に接続されているセンサモジュールを用いて運動をモニタする方法であって、該運動をモニタする方法は、
前記対象物の動きを検出するステップと、
前記対象物の空間における最初の方向を測定することと、
前記対象物の空間における方向の変化を測定することと、
前記空間における方向の変化に基づいて運動量を測定することと、
運動中の前記対象物の位置を測定することと、
前記運動量と前記位置とを相関させることと
を含む方法。
［６３］
前記対象物がユーザの体である［６２］に記載の方法。
［６４］
前記対象物が運動中にユーザが用いる１つの運動器具である［６２］に記載の方法。
［６５］
対象物の動きを検出するステップは、加速度計のデータに基づいて前記対象物の動きを検出することを含む［６２］に記載の方法。
［６６］
対象物の動きを検出するステップは、磁力計のデータに基づいて前記対象物の動きを検出することを含む［６２］に記載の方法。
［６７］
前記対象物の空間における最初の方向を測定するステップが、重力ベクトルに対する前記対象物の方向を測定することを含む［６２］に記載の方法。
［６８］
前記対象物の空間における最初の方向を測定するステップが、地球の磁場ベクトルに対する対象物の方向を測定することを含む［６２］に記載の方法。
［６９］
前記運動は、対象物が移動した距離、対象物のスピード、または対象物の加速度からなる群から選ばれる［６２］に記載の方法。
［７０］
前記運動量が、一連の運動中に人が共通に行う特定の種類の動きとしての前記対象物の動きを特徴付ける［６２］に記載の方法。
［７１］
前記運動中の対象物の位置が衛星位置システム受信機を用いて求められる［６２］に記載の方法。
［７２］
前記運動中の対象物の位置が電波信号三角測量を用いて求められる［６２］に記載の方法。
［７３］
前記運動量と前記位置との間の相関に関するデータを記憶装置に保存することをさらに含む［６２］に記載の方法。
［７４］
前記記憶装置が、運動中のユーザから遠隔位置にあるコンピュータに関するデータベースを含む［６２］に記載の方法。
［７５］
ユーザの運動中に、対象物に物理的に接続されているセンサモジュールを用いて運動をモニタする方法であって、該運動をモニタする方法は、
前記対象物の動きを検出するステップと、
動きのデータを記録するステップと、
データ構造を参照して、動きのデータと前記運動量との間の相関を求めることと、
運動中の前記対象物の位置を測定することと、
前記運動量と前記位置を相関させることと
を含む方法。
［７６］
前記対象物がユーザの体である［７５］に記載の方法。
［７７］
前記対象物が運動中にユーザが用いる１つの運動器具である［７５］に記載の方法。
［７８］
前記対象物の動きを検出するステップは、加速度計のデータに基づいて前記対象物の動きを検出することを含む［７５］に記載の方法。
［７９］
対象物の動きを検出するステップは、磁力計のデータに基づいて前記対象物の動きを検出することを含む［７５］に記載の方法。
［８０］
前記データ構造が参照用テーブルである［７５］に記載の方法。
［８１］
前記運動量は、前記対象物が移動した距離、前記対象物のスピード、または前記対象物の加速度を伝達する［７５］に記載の方法。
［８２］
前記運動量が、一連の運動中に人が共通に行う特定の種類の動きとしての前記対象物の動きを特徴付ける［７５］に記載の方法。
［８３］
前記運動中の対象物の位置が衛星位置システム受信機を用いて求められる［７５］に記載の方法。
［８４］
前記運動中の対象物の位置が電波信号三角測量を用いて求められる［７５］に記載の方法。
［８５］
前記運動量と前記位置との間の相関に関するデータを記憶装置に保存することをさらに含む［７５］に記載の方法。
［８６］
前記記憶装置が、運動中のユーザから遠隔地にあるコンピュータに関するデータベースを含む［７５］に記載の方法。
［８７］
ユーザの運動中に、対象物に物理的に接続されているセンサモジュールを用いて運動をモニタする方法であって、該運動をモニタする方法は、
センサモジュールの加速度センサから前記対象物の動きについてのデータを得ることと、
センサモジュールの磁場センサから前記対象物の動きについてのデータを得ることと、
前記加速度センサおよび前記磁場センサのうちのどちらか一方の欠如したデータを、前記加速度センサおよび前記磁場センサのうちの他方のデータに基づいて推定するステップと、
前記推定した欠如したデータに基づいて運動量を計算するステップと
を含む方法。
［８８］
ユーザの運動中に、対象物に物理的に接続されているセンサモジュールを用いて運動をモニタする方法であって、該運動をモニタする方法は、
磁場センサが乱れた磁場の影響を著しく受けている第１の時点でセンサモジュールの磁場センサから前記対象物の動きについてのデータを取得するステップと、
磁場センサが乱れた磁場の影響をあまりうけていない第２の時点でセンサモジュールの磁場センサから前記対象物の動きについてのデータを取得するステップと、
前記第１の時点で対象物の動きについてのデータは許容できないと判断するステップと、
前記第１の時点での対象物の動きについてのデータを、前記第２の時点での対象物の動きについてのデータに基づいて推定するステップと
を含む方法。
［８９］
複数のユーザが用いる、運動をモニタするシステムであって、該運動をモニタするシステムは、
加速度センサおよび磁場センサを含み、第１の対象物に取り付けるように構成された第１のセンサモジュールと、
加速度センサおよび磁場センサを含み、第２の対象物に取り付けるように構成された第２のセンサモジュールと、
第１のユーザに取り付けるように構成され、さらに前記第１のセンサモジュールと通信するように構成された第１の携帯電子装置と、
第２のユーザに取り付けるように構成され、さらに前記第２のセンサモジュールと通信するように構成された第２の携帯電子装置と、
前記第１の携帯電子装置および前記第２の携帯電子装置と通信するように構成されたベースステーションと、
ベースステーションと通信するように構成され、さらに前記第１の対象物および前記第２の対象物の動きについての情報を表示するように構成されたグループモニタ装置と
を含むシステム。
［９０］
ユーザの運動中に、対象物に物理的に接続されているセンサモジュールを用いて運動をモニタする方法であって、該運動をモニタする方法は、
センサモジュールの加速度センサから前記対象物の動きについてのデータを取得するステップと、
センサモジュールの磁場センサから前記対象物の動きについてのデータを取得するステップと、
前記加速度センサから取得した前記対象物の動きについてのデータおよび前記磁場センサから取得した前記対象物の動きについてのデータに基づいて運動量を測定することと、
前記運動量を例示的な運動量と比較するステップと、
前記運動量と前記例示的な運動量との比較について、ユーザにフィードバックを提供するステップと
を含む方法。
［９１］
ユーザの運動中に、対象物に物理的に接続されているセンサモジュールを用いて運動をモニタする方法であって、該運動をモニタする方法が、
前記対象物の動きを検出するステップと、
動きのデータを記録するステップと、
前記記録した動きのデータに基づいて運動量を測定することと、
ユーザに前記運動量を伝える出力を提供するステップと
を含む方法。
［９２］
前記対象物の空間における最初の方向を測定するステップと、
前記対象物の空間における方向の変化を測定するステップと、
前記空間における方向の変化に基づいて前記運動量を測定するステップと
をさらに含む［９１］に記載の方法。
［９３］
第１の時点で対象物の動きを検出するステップと、
前記対象物の動きが所定の起動の動きに対応するとセンサモジュールが判断するステップと、
前記対象物の動きが所定の起動の動きに対応するという判断に応じてセンサモジュールが起動状態に入るステップと、
センサモジュールが起動状態に入ると第２の時点で前記対象物の動きを検出するステップと
をさらに含む［９１］または［９２］に記載の方法。
［９４］
前記対象物の動きを検出するステップは、加速度計および／または磁力計のデータに基づいて対象物の動きを検出することを含む［９１］から［９３］のいずれかに記載の方法。
［９５］
前記対象物の空間における最初の方向を測定するステップが、重力ベクトルおよび／または地球の磁場ベクトルに対する前記対象物の方向を測定することを含む［９２］から［９４］のいずれかに記載の方法。
［９６］
前記運動量は、前記対象物が移動した距離、前記対象物のスピード、および／または前記対象物の加速度からなる群から選ばれる［９１］から［９５］のいずれかに記載の方法。
［９７］
前記運動量が、一連の運動中に人が共通に行う特定の種類の動きとしての対象物の動きを特徴付ける［９１］から［９６］のいずれかに記載の方法。
［９８］
動きのデータを複数の参照用のモーションに関するデータと比較することで、複数の参照用のモーションから一致する運動モーションを認識するステップと
ユーザに前記一致した運動モーションが何であるかを伝える出力を提供するステップと
を含む［９１］から［９７］のいずれかに記載の方法。
［９９］
前記空間における方向の変化に関するデータを運動中のユーザから遠隔地にあるコンピュータに無線で送信するステップと、
前記空間における方向の変化に関して送信されたデータに基づく運動量のデータを前記遠隔コンピュータから無線で受信するステップと
を含む［９２］から［９８］のいずれかに記載の方法。
［１００］
運動中の前記対象物の位置を測定するステップと、
前記運動量と前記位置を相関させるステップと
を含む［９１］から［９９］のいずれかに記載の方法。
［１０１］
前記運動中の対象物の位置が、衛星位置システム受信機および／または電波信号三角測量を用いて求められる［１００］に記載の方法。
［１０２］
前記運動量と前記位置との間の相関に関するデータを、運動中のユーザから遠隔地にあるコンピュータに関するデータベースを含む記憶装置に保存するステップを含む［１００］または［１０１］に記載の方法。
［１０３］
前記センサモジュールの加速度センサから前記対象物の動きについてのデータを取得するステップと、
前記センサモジュールの磁場センサから前記対象物の動きについてのデータを取得するステップと、
前記加速度センサおよび前記磁場センサのうちのどちらか一方の欠如したデータを、前記加速度センサおよび前記磁場センサのうちの他方のデータに基づいて推定するステップと、
前記推定された欠如したデータに基づいて運動量を計算するステップと
を含む［９１］から［１０２］のいずれかに記載の方法。
［１０４］
前記運動量を例示的な運動量と比較するステップと、
ユーザの運動量が例示的な運動量とより近い値をとるために、ユーザが将来とるべき行動を提供するフィードバックをユーザに提供するステップと
を含む［９１］から［１０３］のいずれかに記載の方法。
［１０５］
データ構造、好ましくは参照用テーブルを参照して、前記動きのデータと運動量との間の相関を求めるステップを含む［９１］から［１０４］のいずれかに記載の方法。
【図１】
0006285106.tif 000002
【図２】
0006285106.tif 000003
【図３】
0006285106.tif 000004
【図４】
0006285106.tif 000005
【図５】
0006285106.tif 000006
【図６Ａ】
0006285106.tif 000007
【図６Ｂ】
0006285106.tif 000008
【図７】
0006285106.tif 000009
【図８Ａ】
0006285106.tif 000010
【図８Ｂ】
0006285106.tif 000011
【図９】
0006285106.tif 000012
【図１０】
0006285106.tif 000013
【図１１】
0006285106.tif 000014
【図１２】
0006285106.tif 000015
【図１３】
0006285106.tif 000016
【図１４】
0006285106.tif 000017
【図１５】
0006285106.tif 000018
【図１６】
0006285106.tif 000019
【図１７】
0006285106.tif 000020